(57)【特許請求の範囲】
【請求項１】
ユーザにより購入された複数のコンテンツのうち、少なくとも１つのコンテンツが記録されている着脱自在なコンテンツ記録媒体から、前記複数のコンテンツが再生可能なものであることを示す再生権利情報、前記コンテンツ記録媒体に記録されていない前記コンテンツである未記録コンテンツに関する情報の記録先を示す位置情報、および前記記録先へのアクセスのタイミングを示すアクセス頻度情報を読み出す読み出し手段と、
前記コンテンツ記録媒体から読み出された前記位置情報および前記アクセス頻度情報を記録する記録手段と、
前記記録手段に記録された前記位置情報に基づいて、前記アクセス頻度情報に示されるタイミングでネットワークを介して前記記録先にアクセスして、前記未記録コンテンツの取得が可能となった旨の更新情報を取得し、前記更新情報が取得された場合、さらに前記更新情報に基づいて、前記ネットワークを介して前記未記録コンテンツを取得する取得手段と、
前記コンテンツ記録媒体に記録されている前記再生権利情報を用いて、取得された前記未記録コンテンツの再生を制御する再生制御手段と
を備える電子機器。
【請求項２】
前記取得手段は、さらに前記アクセス頻度情報に示されるタイミングで前記ネットワークを介して前記記録先にアクセスして、前記複数のコンテンツに関連する他の複数のコンテンツに関する更新情報を取得し、その更新情報に対応して、前記他の複数のコンテンツの再生権利情報をさらに取得し、
取得された前記再生権利情報の他のコンテンツ記録媒体への記録を制御する記録制御手段をさらに備える
請求項１に記載の電子機器。
【請求項３】
前記取得手段により取得された前記更新情報の表示を制御する表示制御手段をさらに備える
請求項２に記載の電子機器。
【請求項４】
前記記録制御手段は、前記取得手段により取得された前記未記録コンテンツの前記コンテンツ記録媒体への記録をさらに制御する
請求項２に記載の電子機器。
【請求項５】
前記記録手段は、前記取得手段により取得された前記未記録コンテンツをさらに記録する
請求項２に記載の電子機器。
【請求項６】
前記記録手段は、前記取得手段により取得された前記更新情報をさらに記録し、
前記取得手段は、新たに更新情報を取得する場合、前記記録先に、既に取得されて前記記録手段に記録されている前記更新情報を示す情報を送信することにより、前記記録手段に記録されていない更新情報を前記記録先から取得する
請求項２に記載の電子機器。
【請求項７】
ユーザにより購入された複数のコンテンツのうち、少なくとも１つのコンテンツが記録されている着脱自在なコンテンツ記録媒体から、前記複数のコンテンツが再生可能なものであることを示す再生権利情報、前記コンテンツ記録媒体に記録されていない前記コンテンツである未記録コンテンツに関する情報の記録先を示す位置情報、および前記記録先へのアクセスのタイミングを示すアクセス頻度情報を読み出し、
記録手段が、前記コンテンツ記録媒体から読み出された前記位置情報および前記アクセス頻度情報を記録し、
前記記録手段に記録された前記位置情報に基づいて、前記アクセス頻度情報に示されるタイミングでネットワークを介して前記記録先にアクセスして、前記未記録コンテンツの取得が可能となった旨の更新情報を取得し、前記更新情報が取得された場合、さらに前記更新情報に基づいて、前記ネットワークを介して前記未記録コンテンツを取得し、
前記コンテンツ記録媒体に記録されている前記再生権利情報を用いて、取得された前記未記録コンテンツの再生を制御する
ステップを含む情報処理方法。
【請求項８】
ユーザにより購入された複数のコンテンツのうち、少なくとも１つのコンテンツが記録されている着脱自在なコンテンツ記録媒体からの、前記複数のコンテンツが再生可能なものであることを示す再生権利情報、前記コンテンツ記録媒体に記録されていない前記コンテンツである未記録コンテンツに関する情報の記録先を示す位置情報、および前記記録先へのアクセスのタイミングを示すアクセス頻度情報の読み出しを制御し、
前記コンテンツ記録媒体から読み出された前記位置情報および前記アクセス頻度情報の記録手段への記録を制御し、
前記記録手段に記録された前記位置情報に基づいて、前記アクセス頻度情報に示されるタイミングでネットワークを介して前記記録先にアクセスして、前記未記録コンテンツの取得が可能となった旨の更新情報を取得し、前記更新情報が取得された場合、さらに前記更新情報に基づいて、前記ネットワークを介して前記未記録コンテンツを取得し、
前記コンテンツ記録媒体に記録されている前記再生権利情報を用いて、取得された前記未記録コンテンツの再生を制御する
ステップを含む処理をコンピュータに実行させるプログラム。
【発明の詳細な説明】
【技術分野】
【０００１】
本発明は電子機器および情報処理方法、並びにプログラムに関し、特に、互いに関連する複数のコンテンツを、より簡単に視聴できるようにした電子機器および情報処理方法、並びにプログラム記録媒体に関する。
【背景技術】
【０００２】
互いに関連するコンテンツ、例えば、いわゆるシリーズ番組の一部をユーザが視聴して面白いと感じた場合、ユーザは、さらに関連する他のコンテンツも視聴したいと思うことが多い。そこで、ユーザが関連する他のコンテンツも視聴できるように、視聴中の番組に関連する番組で、まだ視聴されていない録画済の番組がある場合には、その録画済の番組を推薦番組としてユーザに提示する記録再生装置が提案されている（例えば、特許文献１参照）。
【０００３】
また、ユーザが記録再生装置を操作して、サーバにより提供される有料のコンテンツの購入の手続きを行うことにより、記録再生装置に購入したコンテンツをサーバからダウンロードさせて、再生させる技術も知られている。
【０００４】
【特許文献１】特開２００５−３４８１５３号公報
【発明の開示】
【発明が解決しようとする課題】
【０００５】
ところで、従来、ユーザがシリーズのドラマなど、互いに関連する複数の有料のコンテンツを視聴しようとする場合、ユーザは、視聴しようとするコンテンツごとに光ディスクを購入したり、購入の決済を行って記録再生装置にダウンロードさせたりしなければならなかった。
【０００６】
例えば、ユーザが、サーバにより提供されている有料のコンテンツを記録再生装置にダウンロードさせる場合、ユーザは、互いに関連する複数のコンテンツのそれぞれについて、コンテンツごとに購入手続きを行う必要があった。さらに、この場合、ユーザは、視聴しようとする各コンテンツを検索したり、ダウンロードさせたりするための煩雑な操作を行わなければならなかった。
【０００７】
本発明は、このような状況に鑑みてなされたものであり、互いに関連する複数のコンテンツをより簡単に視聴できるようにするものである。
【課題を解決するための手段】
【０００８】
本発明の一側面の電子機器は、ユーザにより購入された複数のコンテンツのうち、少なくとも１つのコンテンツが記録されている着脱自在なコンテンツ記録媒体から、前記複数のコンテンツが再生可能なものであることを示す再生権利情報、前記コンテンツ記録媒体に記録されていない前記コンテンツである未記録コンテンツに関する情報の記録先を示す位置情報、および前記記録先へのアクセスのタイミングを示すアクセス頻度情報を読み出す読み出し手段と、前記コンテンツ記録媒体から読み出された前記位置情報および前記アクセス頻度情報を記録する記録手段と、前記記録手段に記録された前記位置情報に基づいて、前記アクセス頻度情報に示されるタイミングでネットワークを介して前記記録先にアクセスして、前記未記録コンテンツの取得が可能となった旨の更新情報を取得し、前記更新情報が取得された場合、さらに前記更新情報に基づいて、前記ネットワークを介して前記未記録コンテンツを取得する取得手段と、前記コンテンツ記録媒体に記録されている前記再生権利情報を用いて、取得された前記未記録コンテンツの再生を制御する再生制御手段とを備える。
【０００９】
前記取得手段には、さらに前記アクセス頻度情報に示されるタイミングで前記ネットワークを介して前記記録先にアクセスさせて、前記複数のコンテンツに関連する他の複数のコンテンツに関する更新情報を取得させ、その更新情報に対応して、前記他の複数のコンテンツの再生権利情報をさらに取得させ、取得された前記再生権利情報の他のコンテンツ記録媒体への記録を制御する記録制御手段をさらに設けることができる。
【００１０】
電子機器には、前記取得手段により取得された前記更新情報の表示を制御する表示制御手段をさらに設けることができる。
【００１１】
前記記録制御手段には、前記取得手段により取得された前記未記録コンテンツの前記コンテンツ記録媒体への記録をさらに制御させることができる。
【００１２】
前記記録手段には、前記取得手段により取得された前記未記録コンテンツをさらに記録させることができる。
【００１３】
前記記録手段には、前記取得手段により取得された前記更新情報をさらに記録させ、前記取得手段には、新たに更新情報を取得する場合、前記記録先に、既に取得されて前記記録手段に記録されている前記更新情報を示す情報を送信させることにより、前記記録手段に記録されていない更新情報を前記記録先から取得させることができる。
【００１５】
本発明の一側面の情報処理方法またはプログラムは、ユーザにより購入された複数のコンテンツのうち、少なくとも１つのコンテンツが記録されている着脱自在なコンテンツ記録媒体から、前記複数のコンテンツが再生可能なものであることを示す再生権利情報、前記コンテンツ記録媒体に記録されていない前記コンテンツである未記録コンテンツに関する情報の記録先を示す位置情報、および前記記録先へのアクセスのタイミングを示すアクセス頻度情報を読み出し、記録手段が、前記コンテンツ記録媒体から読み出された前記位置情報および前記アクセス頻度情報を記録し、前記記録手段に記録された前記位置情報に基づいて、前記アクセス頻度情報に示されるタイミングでネットワークを介して前記記録先にアクセスして、前記未記録コンテンツの取得が可能となった旨の更新情報を取得し、前記更新情報が取得された場合、さらに前記更新情報に基づいて、前記ネットワークを介して前記未記録コンテンツを取得し、前記コンテンツ記録媒体に記録されている前記再生権利情報を用いて、取得された前記未記録コンテンツの再生を制御するステップを含む。
【００１６】
本発明の一側面においては、ユーザにより購入された複数のコンテンツのうち、少なくとも１つのコンテンツが記録されている着脱自在なコンテンツ記録媒体から、前記複数のコンテンツが再生可能なものであることを示す再生権利情報、前記コンテンツ記録媒体に記録されていない前記コンテンツである未記録コンテンツに関する情報の記録先を示す位置情報、および前記記録先へのアクセスのタイミングを示すアクセス頻度情報が読み出され、前記コンテンツ記録媒体から読み出された前記位置情報および前記アクセス頻度情報が記録手段に記録され、前記記録手段に記録された前記位置情報に基づいて、前記アクセス頻度情報に示されるタイミングでネットワークを介して前記記録先にアクセスされて、前記未記録コンテンツの取得が可能となった旨の更新情報が取得され、前記更新情報が取得された場合、さらに前記更新情報に基づいて、前記ネットワークを介して前記未記録コンテンツが取得され、前記コンテンツ記録媒体に記録されている前記再生権利情報が用いられて、取得された前記未記録コンテンツの再生が制御される。
【発明の効果】
【００１９】
本発明の第１の側面によれば、互いに関連する複数のコンテンツを、より簡単に視聴することができる。
【発明を実施するための最良の形態】
【００２１】
以下、図面を参照して、本発明を適用した実施の形態について説明する。
【００２２】
図１は、本発明を適用したコンテンツ提供システムの構成例を示す図である。コンテンツ提供システムは、記録再生装置１１、更新情報配信サーバ１２、サービスサーバ１３、および表示装置１４から構成され、記録再生装置１１乃至サービスサーバ１３は、インターネットなどからなる通信網１５を介して相互に接続されている。
【００２３】
記録再生装置１１には表示装置１４が接続されており、ユーザは記録再生装置１１にコンテンツの記録された光ディスクを挿入することで、記録再生装置１１にコンテンツを再生させ、表示装置１４に表示させることができる。また、記録再生装置１１は、光ディスクから読み出した情報を用いて、更新情報配信サーバ１２から光ディスクに記録されたコンテンツに関連するコンテンツの更新情報を取得したり、サービスサーバ１３から更新情報により特定されるコンテンツを取得したりする。これらの更新情報やコンテンツの取得は、記録再生装置１１に光ディスクが挿入されていない状態であっても行われる。
【００２４】
図２は、図１の記録再生装置１１の構成例を示すブロック図である。
【００２５】
記録再生装置１１には光ディスク４１が着脱自在とされており、光ディスク４１は、例えばＢＤ−Ｒ（Blu-ray Disc（ソニー株式会社の登録商標） Recordable）やＢＤ−ＲＥ（Blu-ray Disc（ソニー株式会社の登録商標） Rewritable）などのデータの書き込みが可能な光ディスクとされる。なお、記録再生装置１１に着脱される記録媒体は、光ディスク４１としてのブルーレイディスクなどに限らず、データの書き込みが可能であれば、DVD（Digital Versatile Disc）などの光ディスクや他の記録媒体であってもよい。
【００２６】
記録再生装置１１は、ドライブ５１、入力部５２、記録部５３、制御部５４、および通信部５５からなる。
【００２７】
ドライブ５１は、記録再生装置１１に挿入された光ディスク４１からコンテンツなどのデータを読み出して制御部５４に供給したり、制御部５４の制御に従って制御部５４から供給されたデータを光ディスク４１に書き込んだりする。
【００２８】
入力部５２は、例えば、ユーザが記録再生装置１１に対する操作を行うためのリモートコマンダからの信号を受光する受光部や、ボタンなどからなり、ユーザの操作に応じた操作信号を制御部５４に供給する。記録部５３は、例えばハードディスクなどからなり、制御部５４から供給されたコンテンツなどの各種のデータや、表示装置１４に表示させるＧＵＩ（Graphical User Interface）の画像データなどを記録する。この記録部５３は、記録再生装置１１のローカルストレージとして利用される。
【００２９】
制御部５４は、入力部５２からの操作信号に応じて、記録再生装置１１の全体の動作を制御する。制御部５４は、再生制御部６１、記録制御部６２、および取得部６３を備えている。これらの再生制御部６１乃至取得部６３は、例えば制御部５４が必要に応じて、記録部５３に記録されているプログラムを実行したり、光ディスク４１から読み出されてドライブ５１から供給されたプログラムを実行したりすることにより実現される。
【００３０】
再生制御部６１は、光ディスク４１や記録部５３に記録されているコンテンツの再生を制御する。例えば、再生制御部６１は、必要に応じて暗号化されているコンテンツを復号し、表示装置１４に供給する。記録制御部６２は、コンテンツなどのデータの光ディスク４１への記録を制御する。また、取得部６３は、通信部５５および通信網１５を介して、更新情報配信サーバ１２やサービスサーバ１３から、光ディスク４１に記録されているコンテンツに関連するコンテンツや、そのコンテンツの更新情報を取得する。
【００３１】
ここで、更新情報は、光ディスク４１に記録されているコンテンツに関連するユーザに通知すべき情報であり、例えば、RSS（Resource Description Framework Site Summary）形式やATOM形式などの予め定められた所定の形式の情報とされる。
【００３２】
例えば、更新情報には、光ディスク４１に記録されているコンテンツに関連するコンテンツであって、サービスサーバ１３からダウンロードすることにより視聴可能となる新たなコンテンツ（例えば、シリーズの新作コンテンツ）が追加されて、取得可能となった旨をユーザに通知する情報などが含まれる。また、更新情報には、光ディスク４１に記録されているコンテンツに新たな字幕や、メイキング映像が追加された旨の情報や、提供元が共通である関連する他のコンテンツが発売された旨の情報なども含まれる。
【００３３】
通信部５５は、通信網１５を介して更新情報配信サーバ１２やサービスサーバ１３と通信し、更新情報配信サーバ１２やサービスサーバ１３から受信したデータ等を制御部５４に供給したり、制御部５４から供給されたデータ等を他の装置に送信したりする。
【００３４】
ところで、光ディスク４１には、ユーザによって購入された、互いに関連する複数のコンテンツのうちのいくつかのコンテンツが記録されている。例えば、ユーザがある連続ドラマの第１話から第５話まで視聴可能なシリーズディスク（光ディスク４１）を１枚購入する。このシリーズディスク（光ディスク４１）には、そのドラマの第１話から第５話までの動画像データのうち、ディスク購入時、既にリリースされた第１話の動画像データが予め記録されている。そして、第２話から第５話までの動画像データが、順次リリースされた後、サービスサーバ１３からダウンロードされ、EST（Electronic Sell Through）などの規格に従って記録される。
【００３５】
ESTの規格に従って光ディスク４１にコンテンツが追記される場合、例えば、図３に示すように、ユーザは、暗号化されたコンテンツ９１の他に、証明書９２、ランダムデータ９３、Media‐ID（Identification）９４、Token９５、およびAACS（Advanced Access Content System）データ９６が予め記録されている光ディスク４１を購入する。
【００３６】
ここで、コンテンツ９１は、例えばユーザが購入した連作ドラマの第１話から第５話までのうちの第１話の動画像データであり、証明書９２は、第１話から第５話までの動画像データが再生可能なものであることを示す電子的な証明書である。この証明書９２は、サービスサーバ１３に相当するサーバ１０１により発行される。
【００３７】
また、ランダムデータ９３は、サーバ１０１により光ディスク４１に記録された乱数であり、Media‐ID９４は、光ディスク４１に固有の識別情報である。さらに、Token９５は、コンテンツ９１、および追加して光ディスク４１に記録されるコンテンツ、すなわちドラマの第１話から第５話までの動画像データを再生する権利を有している旨の権利情報である。このToken９５は、サーバ１０１が有する所定のデータと、ランダムデータ９３およびMedia‐ID９４とから生成される。
【００３８】
また、AACSデータ９６は、AACSの規格により定められた復号鍵（共通鍵）などのデータであり、コンテンツ９１や、追加して光ディスク４１に記録されるコンテンツを再生するときに用いられる。すなわち、AACSデータ９６には、暗号化された、コンテンツ９１や追記されるコンテンツの復号に用いられる復号鍵が含まれている。
【００３９】
ユーザは、購入した光ディスク４１を記録再生装置１１に相当する記録再生装置１０２に挿入して、コンテンツ９１の再生を指示することで、コンテンツ９１を再生させることができる。
【００４０】
コンテンツ９１の再生時には、記録再生装置１０２は、光ディスク４１から証明書９２、ランダムデータ９３、Media‐ID９４、およびToken９５を読み出し、読み出したこれらの情報に基づいて、コンテンツ９１が正規に購入された再生可能なコンテンツであることを確認する。具体的には、記録再生装置１０２は、予め記録再生装置１０２に記録されている所定の値のデータ、証明書９２、ランダムデータ９３、およびMedia‐ID９４のハッシュ値を演算し、演算により得られた値とToken９５とを比較する。
【００４１】
記録再生装置１０２は、ハッシュ値とToken９５の値とが一致し、正規に購入されたコンテンツであることが確認されると、光ディスク４１からさらにコンテンツ９１およびAACSデータ９６を読み出す。そして、記録再生装置１０２は、AACSデータ９６を用いてコンテンツ９１を復号し、コンテンツ９１を再生する。
【００４２】
また、ユーザが光ディスク４１を購入した後、新たに残りのコンテンツ、つまりユーザにより購入された、光ディスク４１に追記されるコンテンツがダウンロード可能な状態となると、記録再生装置１０２は、ユーザの指示にしたがってサーバ１０１からコンテンツをダウンロードする。そして、記録再生装置１０２は、ダウンロードしたコンテンツを光ディスク４１に記録する。これにより、ユーザは光ディスク４１を用いて、コンテンツ９１だけでなく、購入した全てのコンテンツ、例えばドラマの第１話から第５話までの全てを視聴できるようになる。
【００４３】
なお、以下、光ディスク４１に予め記録されているコンテンツを記録済みコンテンツとも称し、ユーザにより購入された、光ディスク４１に追記されるコンテンツを追加コンテンツとも称する。
【００４４】
ユーザが、記録済みコンテンツとしてのコンテンツ９１と、追加コンテンツとの証明書９２が記録されている光ディスク４１を購入すると、ユーザは、その光ディスク４１を記録再生装置１１に挿入して、記録済みコンテンツを再生させることができる。記録再生装置１１は、光ディスク４１が挿入され、入力部５２から記録済みコンテンツの再生を指示する操作信号が供給されると、再生処理を行って記録済みコンテンツを再生する。
【００４５】
以下、図４のフローチャートを参照して、記録再生装置１１による再生処理について説明する。
【００４６】
ステップＳ１１において、ドライブ５１は、記録再生装置１１に挿入された光ディスク４１から、記録済みコンテンツのメタ情報を読み出す。ここで、読み出されるメタ情報は、光ディスク４１に記録されている記録済みコンテンツのメタ情報である。
【００４７】
例えば、メタ情報には、コンテンツ情報、フィードURL（Uniform Resource Locator）、アクセス頻度情報、アクセス認証情報、Org‐ID、およびDisc‐IDが含まれている。
【００４８】
コンテンツ情報は、記録済みコンテンツのタイトル名や、そのタイトルのジャケット画像、つまりいわゆるサムネイル画像などが含まれている情報であり、コンテンツ情報は、過去に再生されたコンテンツの一覧であるライブラリ情報を表示装置１４に表示させるときに用いられる。
【００４９】
また、フィードURLは、更新情報の記録先、つまり更新情報配信サーバ１２における更新情報が記録されている位置を示すURL形式で記述された位置情報である。したがって、フィードURLは、コンテンツのタイトルごとに異なる情報とされる。なお、以下、URL方式により記述された位置情報を単にURLと称する。
【００５０】
アクセス頻度情報は、記録再生装置１１が更新情報配信サーバ１２、より詳細には更新情報にアクセスするタイミングおよび頻度を示す情報であり、例えば週に１度、１２時にアクセスする旨の情報などとされる。また、アクセス認証情報は、記録再生装置１１の更新情報へのアクセス時に行われるユーザの認証に必要な情報、例えば、予め更新情報配信サーバ１２に登録されているユーザのユーザＩＤ、パスワード、認証方式を示す情報などからなる。さらに、Org‐IDは、記録済みコンテンツのタイトルの提供者を特定する識別情報であり、Disc‐IDは、コンテンツのタイトルを特定する識別情報である。
【００５１】
ドライブ５１は、光ディスク４１からメタ情報を読み出すと、読み出したメタ情報を制御部５４に供給し、制御部５４は、ドライブ５１から供給されたメタ情報を記録部５３に供給する。
【００５２】
ステップＳ１２において、記録部５３は、制御部５４の指示に従って、制御部５４から供給されたメタ情報を記録する。
【００５３】
ステップＳ１３において、制御部５４の再生制御部６１は、ユーザの操作に応じて記録済みコンテンツを再生する。すなわち、再生制御部６１は、入力部５２からの操作信号に応じて、ドライブ５１に光ディスク４１からコンテンツを読み出させ、読み出されたコンテンツをドライブ５１から取得する。そして、再生制御部６１は、ドライブ５１から供給されたコンテンツに必要に応じて、復号などの所定の処理を施して表示装置１４に供給し、表示装置１４にコンテンツを表示させる。
【００５４】
なお、より詳細には、記録済みコンテンツの再生時において、再生制御部６１は、光ディスク４１から読み出された証明書、ランダムデータ、Media‐ID、およびTokenを用いて、再生しようとするコンテンツが正規のコンテンツであるか否かの確認を行う。また、再生制御部６１は、光ディスク４１から読み出されたAACSデータを用いて記録済みコンテンツの復号も行う。さらに、再生制御部６１は、ユーザの操作に応じて、コンテンツの再生の一時停止や停止等の処理も行う。
【００５５】
ステップＳ１４において、再生制御部６１は、記録済みコンテンツの再生を終了するか否かを判定する。例えば、記録済みコンテンツの再生を停止するようにユーザにより指示された場合、ステップＳ１４において再生を終了すると判定される。
【００５６】
ステップＳ１４において、再生を終了しないと判定された場合、処理はステップＳ１３に戻り、上述した処理が繰り返される。なお、より詳細には、ステップＳ１３において、１度、正規のコンテンツであると確認されたコンテンツについては、再度、確認の処理は行われず、コンテンツの復号などの再生に必要な処理だけが行われる。
【００５７】
これに対して、ステップＳ１４において、再生を終了すると判定された場合、記録再生装置１１の各部は行っている処理を終了し、再生処理を終了する。
【００５８】
このようにして、記録再生装置１１は、光ディスク４１が挿入されると、光ディスク４１からメタ情報を読み出して記録部５３に記録させる。
【００５９】
このように、メタ情報を読み出して記録しておくことにより、メタ情報に含まれるフィードURLを用いて更新情報配信サーバ１２にアクセスし、更新情報を得ることができる。すなわち、記録再生装置１１は、記録再生装置１１に光ディスク４１が挿入されていない状態であっても、更新情報を取得してユーザに提示することができるようになる。したがって、ユーザは、特に操作を必要とせずに、追加コンテンツがリリース（発売）されて視聴可能な状態となったかなど、記録済みコンテンツや追加コンテンツに関連する情報を、簡単かつ迅速に知ることができるようになる。
【００６０】
再生処理により、光ディスク４１に記録されているコンテンツのメタ情報が記録部５３に記録されると、記録再生装置１１は、メタ情報に含まれるアクセス頻度情報に基づいて、更新情報配信サーバ１２に定期的にアクセスし、更新情報を取得する。そして、記録再生装置１１は、サービスサーバ１３に追加コンテンツが新たに記録され、追加コンテンツが視聴可能な状態となると、取得した更新情報に基づいて、サービスサーバ１３から追加コンテンツを取得する。
【００６１】
また、更新情報配信サーバ１２およびサービスサーバ１３も、記録再生装置１１からの要求に応じて、更新情報および追加コンテンツを記録再生装置１１に提供する処理を行う。
【００６２】
以下、図５のフローチャートを参照して、記録再生装置１１によるコンテンツ更新処理、更新情報配信サーバ１２による更新情報送信処理、およびサービスサーバ１３によるコンテンツ提供処理について説明する。
【００６３】
ステップＳ４１において、記録再生装置１１の取得部６３は、記録部５３に記録されている記録済みコンテンツのメタ情報に含まれるアクセス頻度情報に基づいて、更新情報を取得するか否かを判定する。例えば、取得部６３は、常にタイマー動作を行っており、アクセス頻度情報により特定される、更新情報にアクセスする時刻となった場合に、更新情報を取得すると判定する。
【００６４】
なお、より詳細には、更新情報にアクセスする時刻となったときに、メタ情報に含まれるOrg‐IDおよびDisc‐IDにより特定されるコンテンツ、すなわちこれらのＩＤが読み出された光ディスク４１のコンテンツが再生中である場合には、更新情報を取得しないと判定される。これにより、ユーザ操作により指示された、追加コンテンツを取得する処理と、更新情報を取得する処理との競合を避けることができる。
【００６５】
同様に、更新情報にアクセスする時刻となったときに、記録部５３に記録されているコンテンツの削除等の記録部５３を管理する機能の処理が実行中である場合にも、処理の競合を避けるために、更新情報を取得しないと判定される。
【００６６】
ステップＳ４１において、更新情報を取得しないと判定された場合、処理はステップＳ４１に戻り、更新情報を取得すると判定されるまで、判定の処理が繰り返される。
【００６７】
これに対して、ステップＳ４１において、更新情報を取得すると判定された場合、ステップＳ４２において、取得部６３は、更新情報配信サーバ１２に対して更新情報の送信を要求する。すなわち、取得部６３は、記録部５３からメタ情報に含まれているフィードURLおよびアクセス認証情報を読み出して、フィードURLおよびアクセス認証情報を、通信部５５を介して更新情報配信サーバ１２に送信することにより、フィードURLにより示される更新情報の記録先にアクセスする。
【００６８】
記録再生装置１１が更新情報配信サーバ１２に更新情報を要求すると、ステップＳ６１において、更新情報配信サーバ１２は、記録再生装置１１の要求に応じて更新情報を記録再生装置１１に送信する。
【００６９】
すなわち、更新情報配信サーバ１２は、記録再生装置１１から送信されてきたフィードURLおよびアクセス認証情報を受信し、受信したアクセス認証情報を用いて、ユーザが予め登録されている正規のユーザであるか否かの認証を行う。そして認証が行われると、更新情報配信サーバ１２は、受信したフィードURLにより特定される更新情報を、通信網１５を介して記録再生装置１１に送信し、更新情報送信処理は終了する。
【００７０】
例えば、更新情報配信サーバ１２が記録している更新情報が、ATOM形式の情報である場合、より詳細には、更新情報がATOM形式の送信情報に含まれている場合、送信情報には図６に示す各項目の情報が含まれている。
【００７１】
図６では、図中、左側の欄に送信情報に含まれる各項目が示されており、図中、右側の欄に各項目の情報の説明が示されている。すなわち、更新情報配信サーバ１２から記録再生装置１１に送信される送信情報には、ルート要素として、他の項目が格納される「feed」の項目が設けられており、項目「feed」には、「title」、「id」、「link」、「author」、「updated」、および「entry」の各項目の情報が格納される。
【００７２】
項目「title」には、光ディスク４１の記録済みコンテンツのタイトルを示す文字列が格納され、項目「id」には、記録済みコンテンツのタイトルに関する更新情報であることを示すＩＤ（識別情報）が格納される。この項目「id」に格納される識別情報は、光ディスク４１の記録済みコンテンツのメタ情報に含まれているOrg‐IDおよびDisc‐IDが並べられたものとされる。
【００７３】
また、項目「link」には、記録済みコンテンツのタイトルに関する詳細な情報の得られるウェブページの記録先を示すURLが格納される。項目「author」には、光ディスク４１の記録済みコンテンツの提供元の情報が格納され、項目「updated」には、送信情報の更新日時を示す情報が格納される。さらに、項目「entry」には、送信情報に含まれるエントリの各項目の情報が格納される。
【００７４】
ここで、エントリとは、追加コンテンツが発売（リリース）され、ダウンロード可能となったなど、ユーザに通知される１つの更新情報をいい、送信情報に複数の更新情報が含まれる場合、項目「feed」には、更新情報の数だけ項目「entry」が格納される。
【００７５】
項目「entry」には、「title」、「link」、「id」、「published」、「updated」、および「summary」の各項目の情報が格納される。
【００７６】
項目「title」には、更新情報を示す文字列が格納され、項目「link」には、更新情報に関するリンク先を示す情報が格納される。また、項目「id」には、更新情報を識別するＩＤが格納され、項目「published」および項目「updated」には、更新情報の発行日時および更新日時を示す情報が格納される。さらに、項目「summary」には、更新情報の概要を示す文字列が格納される。
【００７７】
図６に示す各項目が含まれる送信情報は、具体的には、例えば図７に示す情報とされる。図７の送信情報において、図中、上側のＫ１１の部分には、項目「feed」に格納された、「title」、「id」、「link」、「author」、および「updated」の各項目の情報が含まれている。例えば、Ｋ１１の部分に含まれるタグ「id」内の文字「７０」および「１」は、それぞれ光ディスク４１に含まれるOrg‐IDおよびDisc‐IDを示している。
【００７８】
また、送信情報のＫ１２乃至Ｋ１４の部分には、それぞれ１つの更新情報のエントリが含まれており、各エントリには、項目「entry」内の「title」、「link」、「id」、「published」、「updated」、および「summary」の各項目の情報が含まれている。
【００７９】
例えば、Ｋ１２の部分に含まれるエントリは、タイトルが、タグ「title」に含まれる文字列「第２話リリース」である更新情報とされている。また、このエントリのタグ「link」には、更新情報に関するリンク先として、リンク先の情報の種別を示す情報と、リンク先のURLとが含まれている。Ｋ１２の部分に含まれるエントリのタグ「link」内には、リンク先のURL「http://some-studio.com/est/28/1/2nd/package.xml」が示されており、また、タグ「link」内には、そのリンク先の情報の種別を示す文字「pack」が含まれている。この文字「pack」は、リンク先にアクセスして得られる情報が、追加コンテンツを取得するために必要となるパッケージ情報であることを示している。
【００８０】
また、例えば、Ｋ１４の部分に含まれるエントリは、タイトルが、タグ「title」に含まれる文字列「２８シーズンII発売のご案内」である更新情報とされている。
【００８１】
このエントリのタグ「link」内には、更新情報に関するリンク先の情報の種別を示す文字「info」が含まれている。この文字「info」は、タグ「link」内のリンク先にアクセスして得られる情報が、光ディスク４１に記録されている記録済みコンテンツに関連するコンテンツ、例えばタイトルが「２８シーズンII」であるコンテンツを購入することができるショッピングサイトのウェブページであることを示している。さらに、Ｋ１４の部分のエントリのタグ「link」内には、更新情報に関連するリンク先のURL「http://some-studio.com/shop/28/2/index.html」が示されている。
【００８２】
更新情報配信サーバ１２には、例えば図７に示す更新情報（送信情報）が記録されており、この更新情報は随時、更新される。つまり、送信情報に、新たな更新情報のエントリが順次、追加されていく。更新情報配信サーバ１２は、記録再生装置１１から送信されてきたフィードURLおよびアクセス認証情報を受信して、ユーザの認証を行うと、記録している更新情報、より詳細には送信情報を記録再生装置１１に送信する。
【００８３】
図５のフローチャートの説明に戻り、ステップＳ６１において更新情報が送信されると、ステップＳ４３において、記録再生装置１１の通信部５５は、更新情報配信サーバ１２から送信されてきた更新情報を受信する。そして、通信部５５は、受信した更新情報を制御部５４の取得部６３に供給する。
【００８４】
ステップＳ４４において、取得部６３は、通信部５５から供給された更新情報と、記録部５３に記録されている過去に取得された更新情報とを比較して、新たに取得され、通信部５５から供給された更新情報に、新たなエントリがあるか否かを判定する。
【００８５】
例えば、取得部６３が、図７に示した送信情報（更新情報）を更新情報配信サーバ１２から新たに取得し、記録部５３に記録されている送信情報に、図７のＫ１２の部分のエントリおよびＫ１３の部分のエントリが含まれている場合、取得部６３は、新たなエントリがあると判定する。すなわち、新たに取得した送信情報には、これまでに取得していないＫ１４の部分に示すエントリが含まれているため、そのエントリ内に格納されている新たな更新情報が得られたことになる。
【００８６】
ステップＳ４４において、新たなエントリがないと判定された場合、新たな更新情報は得られなかったので、ステップＳ４５乃至ステップＳ５２の処理はスキップされ、コンテンツ更新処理は終了する。
【００８７】
一方、ステップＳ４４において、新たなエントリがあると判定された場合、ステップＳ４５において、取得部６３は、取得された新たな更新情報を記録部５３に供給して記録させる。なお、更新情報として、図７に示した送信情報そのものが記録されるようにしてもよいし、取得された送信情報内の新たに取得された更新情報だけが記録されるようにしてもよい。
【００８８】
ステップＳ４６において、取得部６３は、新たに更新情報配信サーバ１２から取得した更新情報、より詳細には送信情報に含まれる新たなエントリに、パッケージ情報のエントリがあるか否かを判定する。
【００８９】
例えば、図７に示した送信情報が新たに取得され、送信情報内のＫ１３の部分のエントリ、およびＫ１４の部分のエントリが、ステップＳ４４において新たなエントリであるとされたとする。この場合、Ｋ１３の部分のエントリ内のタグ「link」には、リンク先の情報の種別がパッケージ情報である旨の文字「pack」が含まれているので、ステップＳ４６においてパッケージ情報のエントリがあると判定される。
【００９０】
ステップＳ４６において、パッケージ情報のエントリがないと判定された場合、ステップＳ４７乃至ステップＳ５２の処理はスキップされて、コンテンツ更新処理は終了する。
【００９１】
これに対して、ステップＳ４６において、パッケージ情報のエントリがあると判定された場合、ステップＳ４７において、取得部６３は、サービスサーバ１３に対してパッケージ情報の送信を要求する。
【００９２】
例えば、図７のＫ１３の部分のエントリが、新たなエントリのうちのパッケージ情報のエントリであるとされた場合、取得部６３は、そのエントリのタグ「link」内の更新情報に関連するリンク先のURLを、通信部５５を介してサービスサーバ１３に送信することにより、URLにより示される情報の記録先にアクセスする。
【００９３】
記録再生装置１１がサービスサーバ１３にパッケージ情報を要求すると、ステップＳ７１において、サービスサーバ１３は、記録再生装置１１の要求に応じてパッケージ情報を記録再生装置１１に送信する。すなわち、サービスサーバ１３は、記録再生装置１１から送信されてきたURLを受信し、受信したURLにより特定されるパッケージ情報を、通信網１５を介して記録再生装置１１に送信する。
【００９４】
例えば、サービスサーバ１３が記録しているパッケージ情報が、XML（Extensible Markup Language）により記述された情報である場合、パッケージ情報には、図８に示す各項目の情報が含まれている。
【００９５】
図８では、図中、左側の欄にパッケージ情報に含まれる各項目が示されており、図中、右側の欄に各項目の情報の説明が示されている。すなわち、パッケージ情報には、ルート要素として、他の項目が格納される「package」の項目が設けられており、項目「package」には、「title」、「id」、「description」、および「file」の各項目の情報が格納される。
【００９６】
項目「title」には、パッケージ情報の内容を示す文字列が格納され、項目「id」には、パッケージ情報を特定するＩＤ（識別情報）が格納される。この項目「id」に格納される識別情報は、このパッケージ情報をリンク先として指定した更新情報を識別するＩＤと同じ値とされる。これにより、パッケージ情報が、どの更新情報内に含まれるURLにより特定される情報であるかが識別できるようになる。
【００９７】
また、項目「description」には、パッケージ情報の内容の詳細を示す文字列が格納される。さらに、項目「file」には、パッケージ情報により示されるパッケージを構成するファイルに関する各項目の情報が格納される。
【００９８】
ここで、パッケージを構成するファイルとは、例えば追加コンテンツの動画像データや、追加コンテンツの再生に必要となるファイルなどとされ、パッケージ情報に複数のファイルの情報が含まれる場合、項目「package」には、ファイルの数だけ項目「file」が格納される。
【００９９】
項目「file」には、「title」、「id」、「size」、「checksum」、「url」、および「dest」の各項目の情報が格納される。
【０１００】
項目「file」内の項目「title」には、ファイルの内容を示す文字列が格納され、項目「id」には、ファイルを識別（特定）するＩＤが格納される。また、項目「size」、および項目「checksum」には、ファイルの大きさおよびチェックサムが格納される。
【０１０１】
さらに、項目「url」には、ファイルの取得先、つまりファイルが記録されている記録先のURLが格納されており、項目「dest」には、記録再生装置１１によるファイルの取得後の保存先を示す情報が格納されている。
【０１０２】
図８に示す各項目が含まれるパッケージ情報は、具体的には、例えば図９に示す情報とされる。図９のパッケージ情報における、図中、上側のＫ３１の部分には、項目「package」に格納された「title」、「id」、および「description」の各項目の情報が含まれている。
【０１０３】
例えば、Ｋ３１の部分に含まれるタグ「id」内の文字「pack/3rd」は、項目「id」に格納される、パッケージ情報を特定するＩＤを示している。そして、このＩＤを示す文字「pack/3rd」は、図９のパッケージ情報がリンク先として指定されている図７のＫ１３の部分のエントリ内の更新情報を識別するＩＤ「pack/3rd」と同じとされている。
【０１０４】
また、パッケージ情報のＫ３２およびＫ３３の部分には、それぞれパッケージを構成する１つのファイルの各項目の情報が示されている。
【０１０５】
例えば、Ｋ３２の部分により示されるファイルは、タグ「url」に含まれるURL「http://some-studio.com/est/28/1/3rd/bumf.from1-2.to3.xml」にアクセスすることにより得られるファイルであり、そのファイルの保存先は、タグ「dest」に含まれる文字「bumf.from1-2.to3.xml」により示される記録部５３上の位置とされる。
【０１０６】
なお、より詳細には、タグ「dest」内においては、ファイルの保存先として、記録部５３上のパスが指定され、さらに光ディスク４１上のパスが指定されることもある。例えば、タグ「dest」内において、文字「buda」に続いてファイルの保存先を示す文字が配置されている場合には、その保存先を示す文字は、記録部５３上のパスを示している。
【０１０７】
具体的には、Ｋ３２の部分のタグ「dest」内の文字「buda」に続く保存先を示す文字「bumf.from1-2.to3.xml」は、保存されるファイルのパスとファイル名を示している。そして、取得されたファイルは、記録部５３上のルートディレクトリに属す、光ディスク４１のメタ情報内のOrg‐IDの値の名前のディレクトリ内における、Disc‐IDの値の名前のディレクトリに、ファイル名「bumf.from1-2.to3.xml」で記録される。
【０１０８】
また、タグ「dest」内において、文字「disc」に続いてファイルの保存先を示す文字が配置されている場合、その保存先を示す文字は、光ディスク４１上のパスを示している。Ｋ３２の部分のタグ「dest」内においては、記録部５３上のパスを指定する文字「buda」だけが含まれているので、Ｋ３２の部分に含まれるURLにより取得されたファイルは、光ディスク４１には記録されない。
【０１０９】
例えば、Ｋ３２の部分に含まれるURLにより取得されるファイルは、光ディスク４１に記録されている記録済みコンテンツと、追加コンテンツとを再生する場合に必要となるBUMF（Binding Unit Manifest File）と呼ばれるファイルとされる。このBUMFには、追加コンテンツが記録される記録部５３のパスなどを示す情報が含まれている。
【０１１０】
また、例えば、Ｋ３３の部分により示されるファイルは、追加コンテンツのプレイリストを示すファイルとされる。このファイルは、Ｋ３３の部分のタグ「url」に含まれるURL「http://some-studio.com/est/28/1/3rd/3rd.mpl」にアクセスすることにより得られるファイルである。そして、そのファイルの保存先は、タグ「dest」に含まれる文字「addition/3rd.mpl」により示される記録部５３上の位置、または、タグ「dest」内に含まれる文字「BDMV/PLAYLIST/00030.mpls」により示される光ディスク４１上の位置とされる。
【０１１１】
すなわち、追加コンテンツがダウンロードされて、記録部５３に記録される場合には、文字「addition/3rd.mpl」により示される位置に記録され、さらに記録部５３から光ディスク４１に記録される場合には、文字「BDMV/PLAYLIST/00030.mpls」により示される位置に記録される。
【０１１２】
サービスサーバ１３には、例えば図９に示すパッケージ情報が記録されており、サービスサーバ１３は、記録再生装置１１から送信されてきたURLを受信して、記録しているパッケージ情報のうち、受信したURLにより特定されるパッケージ情報を記録再生装置１１に送信する。
【０１１３】
図５のフローチャートの説明に戻り、ステップＳ７１においてサービスサーバ１３から記録再生装置１１にパッケージ情報が送信されると、ステップＳ４８において、記録再生装置１１の通信部５５は、サービスサーバ１３から送信されてきたパッケージ情報を受信して制御部５４に供給する。
【０１１４】
制御部５４の取得部６３は、通信部５５からパッケージ情報が供給されると、そのパッケージ情報を記録部５３に供給して記録させるとともに、パッケージ情報により特定される追加コンテンツについてのステータス情報を記録部５３に記録させる。
【０１１５】
ここで、追加コンテンツのステータス情報とは、その追加コンテンツが、まだダウンロードされていないか、ダウンロードされて記録部５３に記録されているか、またはさらに記録部５３から光ディスク４１に記録されたかの何れの状態であるかを示す情報をいう。
【０１１６】
ステータス情報は、追加コンテンツがダウンロードされていない場合、「未ダウンロード」に設定され、追加コンテンツが記録部５３に記録されている場合、「ダウンロード済」に設定され、追加コンテンツが光ディスク４１に記録された場合、「ディスク記録済」に設定される。したがって、ステップＳ４８において受信されたパッケージ情報により特定される追加コンテンツのステータス情報は、この時点において「未ダウンロード」とされる。
【０１１７】
ステータス情報は、パッケージ情報を特定するＩＤ、例えば図９のパッケージ情報のＫ３１の部分に含まれるＩＤ「pack/3rd」と関係付けられて記録部５３に記録される。このＩＤは、パッケージ情報がリンク先として指定されている更新情報にも含まれているので、ステータス情報に関係付けられたＩＤから、ステータス情報に対応するパッケージ情報および更新情報が特定される。
【０１１８】
ステップＳ４９において、制御部５４の取得部６３は、パッケージ情報に含まれているURLにより示される追加コンテンツの記録先にアクセスして、サービスサーバ１３に追加コンテンツの送信を要求する。
【０１１９】
例えば、取得部６３は、図９のＫ３３の部分のタグ「url」に含まれるURLを、通信部５５を介してサービスサーバ１３に送信し、追加コンテンツの送信を要求する。また、取得部６３は、パッケージ情報により示される、追加コンテンツとは異なる他のファイル、例えば、BUMFなどのファイルについても、パッケージ情報の項目「file」に含まれるURLにアクセスして、サービスサーバ１３にファイルの送信を要求する。
【０１２０】
記録再生装置１１がサービスサーバ１３に追加コンテンツの送信を要求すると、ステップＳ７２において、サービスサーバ１３は、記録再生装置１１の要求に応じて追加コンテンツを記録再生装置１１に送信し、コンテンツ提供処理は終了する。
【０１２１】
すなわち、サービスサーバ１３は、記録再生装置１１から送信されてきたURLを受信し、受信したURLにより特定される追加コンテンツやBUMFなどを、通信網１５を介して記録再生装置１１に送信する。
【０１２２】
サービスサーバ１３から記録再生装置１１に追加コンテンツが送信されると、ステップＳ５０において、記録再生装置１１の通信部５５は、サービスサーバ１３から送信されてきた追加コンテンツを受信して制御部５４に供給する。また、通信部５５は、サービスサーバ１３からBUMFなどのファイルが送信されてくると、それらのファイルも受信して制御部５４に供給する。制御部５４の取得部６３は、通信部５５から追加コンテンツやBUMFが供給されると、それらの追加コンテンツやBUMFを記録部５３に供給する。
【０１２３】
ステップＳ５１において、記録部５３は、制御部５４から供給された追加コンテンツと、BUMFなどのファイルとを記録する。なお、記録部５３に記録される追加コンテンツなどのファイルは、パッケージ情報内の項目「dest」に格納されるパスにより示される位置に記録される。また、サービスサーバ１３から取得された追加コンテンツは、光ディスク４１上のAACSデータに含まれる復号鍵に対応する暗号鍵によって、予め暗号化されている。
【０１２４】
ステップＳ５２において、取得部６３は、記録部５３に記録させた追加コンテンツのステータス情報を「未ダウンロード」から「ダウンロード済」に更新し、コンテンツ更新処理は終了する。
【０１２５】
このようにして、記録再生装置１１は、メタ情報に含まれるフィードURLにアクセスして更新情報を取得する。そして、記録再生装置１１は、取得した更新情報に含まれるパッケージ情報のエントリによって、追加コンテンツがサービスサーバ１３にアップロードされて視聴可能となったことが分かると、追加コンテンツを取得して記録する。
【０１２６】
このように、光ディスク４１から読み込んで記録しておいたフィードURLを用いて更新情報を取得することで、光ディスク４１の記録済みコンテンツに関連する情報、特に新たに追加されて視聴可能となったコンテンツに関する情報を、ユーザに特別な操作を行わせることなく取得することができる。したがって、光ディスク４１のタイトルに関連する情報や、追加コンテンツに関する情報を、より簡単かつ迅速にユーザに提示することができる。
【０１２７】
また、取得した更新情報にパッケージ情報のエントリが含まれている場合に、そのパッケージ情報を取得し、さらに取得したパッケージ情報を用いて追加コンテンツを取得することで、ユーザに特別な操作をさせることなく、追加コンテンツを取得することができる。これにより、ユーザは、記録再生装置１１に光ディスク４１を挿入したり、ウェブページでコンテンツの更新を確認したりすることなく、簡単かつ迅速に追加コンテンツを視聴することができるようになる。これにより、コンテンツの利用の促進を図ることができる。
【０１２８】
さらに、ユーザが光ディスク４１を記録再生装置１１に挿入しなくても、記録再生装置１１によりコンテンツに関連する情報が取得されるので、コンテンツの提供者は、自分が提供するコンテンツに関する情報を、更新情報配信サーバ１２により簡単かつ確実にユーザに通知させることができる。
【０１２９】
さらに、また、光ディスク４１には、記録済みコンテンツ、フィードURL、および記録済みコンテンツと追加コンテンツとが再生可能なものであることを示す再生権利情報としてのTokenが記録されている。そのため、ユーザは、１枚の光ディスク４１を購入するだけで、つまり１回の決済で、まだリリースされていない追加コンテンツを含む、互いに関連した複数のコンテンツを簡単に一括で購入することができる。
【０１３０】
しかも、追加コンテンツが、順次、リリースされると、何ら操作を必要とせずに更新情報および追加コンテンツが取得されていくので、簡単かつ迅速に追加コンテンツのリリースを知ることができるとともに、追加コンテンツの視聴が可能となる。
【０１３１】
なお、記録部５３に、複数の光ディスク４１のそれぞれから読み出された、複数の記録済みコンテンツのメタ情報のそれぞれが記録されている場合には、それらの記録済みコンテンツごとに、図５を参照して説明したコンテンツ更新処理が行われる。つまり、記録済みコンテンツごとのアクセスのタイミングで、コンテンツ更新処理が行われる。また、コンテンツ更新処理は、前回行われたコンテンツ更新処理が終了した直後に開始されてもよいし、一定時間間隔で行われるようにしてもよい。
【０１３２】
以上のようにして、追加コンテンツが記録部５３に記録されると、ユーザは、追加コンテンツを視聴することができる。
【０１３３】
次に、図１０のフローチャートを参照して、記録再生装置１１がダウンロードされた追加コンテンツを再生する処理である追加コンテンツ再生処理について説明する。
【０１３４】
記録再生装置１１に光ディスク４１が挿入されていない状態において、ユーザが入力部５２を操作し、メニュー画面の表示を指示すると、入力部５２から制御部５４にユーザの操作に応じた操作信号が供給される。
【０１３５】
制御部５４に操作信号が供給されると、ステップＳ１１１において、制御部５４は、記録部５３に記録されているメタ情報および更新情報に基づいて、表示装置１４にメニュー画面を表示させる。
【０１３６】
これにより、表示装置１４には、例えば図１１に示すメニュー画面が表示される。図１１に示すメニュー画面には、記録再生装置１１に挿入された光ディスクのコンテンツを選択する項目１３１と、過去に再生された光ディスクのコンテンツに関する画像１３２−１および画像１３２−２からなるライブラリ情報とが表示されている。また、メニュー画面には、項目１３１乃至画像１３２−２の何れかを選択するためのカーソル１３３も表示されている。
【０１３７】
記録再生装置１１に所定の光ディスク４１が挿入された場合、制御部５４は、ドライブ５１に挿入された光ディスク４１からメタ情報を読み出させ、読み出されたメタ情報に基づいて、光ディスク４１に記録されているコンテンツのタイトル名を項目１３１に表示させる。項目１３１にコンテンツのタイトルが表示されると、ユーザは、カーソル１３３により項目１３１を選択し、コンテンツを再生させることができるようになる。
【０１３８】
また、メニュー画面上の画像１３２−１および画像１３２−２は、それぞれ、１つの光ディスク４１のコンテンツを示す画像であり、光ディスク４１から読み出されて記録部５３に記録されている、メタ情報に含まれているコンテンツ情報に基づいて表示される。
【０１３９】
画像１３２−１の図中、右側には、画像１３２−１により示されるコンテンツのタイトル名「２８シーズンＩ」が表示され、そのタイトル名の図中、下側には、最後に取得されたコンテンツに関連する情報、つまり更新情報の内容を示すタイトル「２８シーズンII発売のご案内」と、未確認の更新情報であることを示す文字「NEW」とが表示されている。
【０１４０】
画像１３２−１の右側のコンテンツのタイトルは、記録部５３に記録されているメタ情報のコンテンツ情報に基づいて表示され、更新情報のタイトルは、記録部５３に記録されている更新情報に基づいて表示される。例えば、図７の更新情報のＫ１４の部分のエントリの項目「title」に格納されている文字列、つまりタグ「title」内の文字列「２８シーズンII発売のご案内」が、更新情報のタイトルとしてメニュー画面に表示される。
【０１４１】
画像１３２−１における場合と同様に、画像１３２−２の図中、右側には、画像１３２−２により示されるコンテンツのタイトル名「モナ・リザ・コード」が表示され、そのタイトル名の図中、下側には、最後に取得された更新情報の内容を示すタイトル「メイキング映像他、追加」が表示されている。
【０１４２】
なお、以下、画像１３２−１および画像１３２−２を個々に区別する必要のない場合、単に画像１３２と称する。
【０１４３】
また、ユーザは、入力部５２に対する操作を行ってカーソル１３３を移動させ、カーソル１３３により画像１３２を選択して、その画像１３２に対応するコンテンツの更新情報の一覧を表示させることができる。
【０１４４】
例えば、ユーザにより画像１３２−１が選択され、画像１３２−１により示されるコンテンツの更新情報の一覧の表示が指示されると、制御部５４は、画像１３２−１により示されるコンテンツの更新情報、およびステータス情報に基づいて、表示装置１４に更新情報の一覧を表示させる。
【０１４５】
例えば、画像１３２−１により示されるコンテンツの更新情報が、図７に示した更新情報である場合、制御部５４は表示装置１４に、図１２に示す更新情報の一覧を表示させる。
【０１４６】
図１２の更新情報の一覧には、画像１３２−１とともに、図７のＫ１４乃至Ｋ１２の部分の更新情報（エントリ）が表示される表示欄１６１−１乃至表示欄１６１−３が設けられている。例えば、表示欄１６１−１内には、更新情報のタイトル「２８シーズンII発売のご案内」、更新情報の内容「シーズンIIが発売されました。オンライン購入できます。」が表示されており、これらの文字は、図７のＫ１４の部分のタグ「title」内の文字列、およびタグ「summary」内の文字列とされる。
【０１４７】
また、表示欄１６１−１内には、更新情報が、記録済みコンテンツに関連するコンテンツの情報であることを示す文字「お知らせ」が表示されている。この文字「お知らせ」は、図７の対応する更新情報のエントリ、つまりＫ１４の部分のエントリにおけるタグ「link」内のリンク先の情報の種別が「info」である場合に表示される。
【０１４８】
さらに、表示欄１６１−１内には、Ｋ１４の部分のタグ「link」内のURLにアクセスするときに操作されるボタン１６２が表示されている。例えば、ボタン１６２が操作されると、表示装置１４には、表示欄１６１−１に表示されている更新情報により通知されているタイトルが「２８シーズンII」であるコンテンツを購入できるウェブページが表示される。
【０１４９】
なお、エントリにおけるタグ「link」内のリンク先の情報の種別が「pack」である場合、そのエントリは、リンク先としてパッケージ情報を指定するエントリであるので、表示欄内には、追加コンテンツに関する更新情報であることを示す文字「追加コンテンツ」が表示される。
【０１５０】
また、表示欄１６１−１内には、更新情報のアップデートされた日時「2008/04/01 00:00」が表示されており、この日時は、図７の更新情報のＫ１４の部分のタグ「updated」により示される日時とされる。
【０１５１】
さらに、例えば、表示欄１６１−３には、更新情報のタイトル「第２話リリース」、および更新情報の内容「第２話がリリースされました。」と、更新情報のアップデートされた日時「2008/03/01 00:00」とが表示されている。
【０１５２】
表示欄１６１−３には、追加コンテンツに関する更新情報であることを示す文字「追加コンテンツ」と、その追加コンテンツのステータス情報を示す文字「ディスク記録済」が表示されている。さらに、表示欄１６１−３内には、追加コンテンツをダウンロードするときに操作されるボタン１６３も表示されている。このボタン１６３は、追加コンテンツのステータス情報が「未ダウンロード」または「ディスク記録済」である場合に表示される。
【０１５３】
なお、以下、表示欄１６１−１乃至表示欄１６１−３のそれぞれを個々に区別する必要のない場合、単に表示欄１６１と称する。また、表示欄１６１に表示される更新情報は、その更新情報の更新日時の新しいものから順番に、図１２中、上から下方向に並べられて表示される。
【０１５４】
また、画像１３２−１の図１２中、下側には、表示欄１６１に表示される更新情報により示される追加コンテンツ、より詳細には、ステータス情報が「ダウンロード済」である追加コンテンツを光ディスク４１に記録するときに操作されるボタン１６４が設けられている。さらに、ボタン１６４の図中、下側には、表示装置１４における表示を図１１のメニュー画面に切り替えるときに操作されるボタン１６５が設けられている。
【０１５５】
このように、表示装置１４に更新情報の一覧を表示させることで、ユーザは、記録再生装置１１に光ディスク４１を挿入することなく、コンテンツの更新状況を簡単かつ迅速に知ることができる。
【０１５６】
そして、表示欄１６１に表示されるステータス情報を確認することで、新たな追加コンテンツがダウンロードされて、視聴可能な状態となっていることも知ることができる。そこで、ユーザは、新たにダウンロードされた追加コンテンツを視聴しようとする場合、記録再生装置１１に、その追加コンテンツの証明書およびTokenが記録されている光ディスク４１を挿入する。
【０１５７】
図１０のフローチャートの説明に戻り、記録再生装置１１に光ディスク４１が挿入されると、ステップＳ１１２において、再生制御部６１は、記録部５３に記録されているBUMFに基づいてVFS（Virtual File System）を構成する。
【０１５８】
ここで、VFSとは、ブルーレイディスクの規格により定められた仮想ファイルシステムであって、光ディスク４１上の記録済みコンテンツと、記録部５３に記録されている追加コンテンツとを１つのコンテンツとして取り扱う仮想ファイルシステムである。
【０１５９】
例えば、再生制御部６１は、記録部５３に記録されているBUMFに示される各コンテンツのパス等を参照することにより、記録済みコンテンツと追加コンテンツとを１つのコンテンツとして取り扱う。
【０１６０】
なお、VFSを構成するためのBUMFは、追加コンテンツのステータス情報によって、つまり追加コンテンツの記録されている場所によって異なる。例えば、シリーズのドラマの第１話が記録済みコンテンツとされ、第２話および第３話が追加コンテンツとされている場合、第２話および第３話が光ディスク４１に記録されているか、または記録部５３に記録されているかによって、コンテンツの再生には異なるBUMFが必要となる。
【０１６１】
すなわち、図１３に示すように、第２話および第３話（の追加コンテンツ）が記録部５３に記録されている場合、VFSを構成するには、第１話が光ディスク４１に記録済みであり、第２話および第３話を追加する指定がされているBUMFが必要となる。この場合、BUMFには、記録部５３上における第２話および第３話のパスが記録されている。
【０１６２】
また、第１話および第２話が光ディスク４１に記録されており、第３話が記録部５３に記録されている場合、VFSを構成するには、第１話および第２話が光ディスク４１に記録済みであり、第３話を追加する指定がされているBUMFが必要となる。この場合、BUMFには、記録部５３上における第３話のパスが記録されている。
【０１６３】
さらに、第１話乃至第３話が光ディスク４１に記録済みである場合には、VFSを構成する必要がないので、第１話乃至第３話の再生には、BUMFは用いられない。
【０１６４】
なお、第２話および第３話が追加コンテンツとされる場合には、２通りのBUMFが必要となるが、それらのBUMFは、パッケージ情報の項目「file」に格納されたURLにアクセスすることにより取得される。
【０１６５】
また、例えば、図１４に示すように、第２話および第３話の追加コンテンツが記録部５３に記録されている状態においては、記録再生装置１１はVFSを構成することにより、第１話乃至第３話のコンテンツを再生することができる。
【０１６６】
ところが、第２話の追加コンテンツが記録部５３から削除されると、BUMFにより示される第２話のパスにより示される記録先には、第２話の追加コンテンツが存在しなくなってしまうので、記録再生装置１１はVFSを構成することができなくなってしまい、光ディスク４１に記録されている第１話しか再生できなくなる。
【０１６７】
第２話の追加コンテンツが削除されると、その追加コンテンツのステータス情報は、「未ダウンロード」に更新されるため、第２話のダウンロードが可能となる。その後、記録再生装置１１が第２話（追加コンテンツ）を再びダウンロードすると、BUMFにより示される第２話の記録先には、第２話が存在する状態となるので、記録再生装置１１は、再び第１話乃至第３話を再生することが可能な状態となる。
【０１６８】
さらに、第２話および第３話が光ディスク４１に記録されると、BUMFを必要とせずに第１話乃至第３話を再生できるようになる。
【０１６９】
なお、第１話が光ディスク４１に記録済みであり、第３話を追加する指定がされているBUMFが用意され、このBUMFを用いて記録再生装置１１が第１話および第３話を再生できるようにしてもよい。
【０１７０】
図１０のフローチャートの説明に戻り、VFSが構成されて、ユーザが追加コンテンツの再生を指示すると、ステップＳ１１３において、再生制御部６１は、ユーザの操作に応じて入力部５２から供給される操作信号に基づいて、追加コンテンツを再生する。
【０１７１】
すなわち、再生制御部６１は、記録部５３に記録されているBUMFにより示される追加コンテンツのパスを参照して、そのパスにより示される記録部５３の位置から追加コンテンツを読み出す。また、再生制御部６１は、ドライブ５１を介して光ディスク４１から、追加コンテンツの証明書、ランダムデータ、Media‐ID、Token、およびAACSデータを読み出す。
【０１７２】
そして、再生制御部６１は、証明書、ランダムデータ、Media‐ID、およびTokenを用いて、再生しようとする追加コンテンツが、正規のユーザにより取得されたコンテンツであるか否かの確認を行い、その後、AACSデータを用いて追加コンテンツを復号し、表示装置１４に供給する。表示装置１４は、再生制御部６１からの追加コンテンツを表示する。
【０１７３】
ステップＳ１１４において、再生制御部６１は、追加コンテンツの再生を終了するか否かを判定する。例えば、追加コンテンツの再生を停止するようにユーザにより指示された場合、ステップＳ１１４において再生を終了すると判定される。
【０１７４】
ステップＳ１１４において、再生を終了しないと判定された場合、処理はステップＳ１１３に戻り、上述した処理が繰り返される。
【０１７５】
これに対して、ステップＳ１１４において、再生を終了すると判定された場合、記録再生装置１１の各部は行っている処理を終了し、追加コンテンツ再生処理を終了する。
【０１７６】
このようにして、記録再生装置１１は、BUMFを用いて仮想的なファイルシステムを構成し、ダウンロードした追加コンテンツを再生する。
【０１７７】
このように、仮想的なファイルシステムを構成して、記録再生装置１１のローカルストレージ（記録部５３）に記録されている追加コンテンツを再生することで、ユーザは、光ディスク４１に記録されているコンテンツだけでなく、サービスサーバ１３からダウンロードしたコンテンツも視聴して楽しむことができる。
【０１７８】
なお、以上においては、更新情報が取得されると、ユーザの操作を必要とせずにパッケージ情報および追加コンテンツが取得されると説明したが、更新情報を確認したユーザによって指示された場合に、パッケージ情報および追加コンテンツが取得されるようにしてもよい。
【０１７９】
そのような場合、ユーザは、表示装置１４に表示された更新情報の一覧を確認した後、取得させようとする追加コンテンツに対応する光ディスク４１を記録再生装置１１に挿入し、パッケージ情報および追加コンテンツの取得を指示する。すると、記録再生装置１１の取得部６３は、例えば、ドライブ５１を介して光ディスク４１からＢＤ−Ｊ（BD（Blu-ray Disc（ソニー株式会社の登録商標））‐Java（登録商標））のプログラムを読み出して実行し、更新情報を用いてサービスサーバ１３からパッケージ情報および追加コンテンツを取得する。
【０１８０】
ところで、記録再生装置１１では、記録部５３に追加コンテンツが数多く記録されることにより生じる、記録部５３の記録領域の不足を防止するために、記録部５３に記録されている追加コンテンツを光ディスク４１に記録することができるようになされている。
【０１８１】
以下、図１５のフローチャートを参照して、記録再生装置１１による追加コンテンツ記録処理について説明する。
【０１８２】
記録再生装置１１に光ディスク４１が挿入されていない状態において、ユーザが入力部５２を操作し、メニュー画面の表示を指示すると、入力部５２から制御部５４にユーザの操作に応じた操作信号が供給される。
【０１８３】
制御部５４に操作信号が供給されると、ステップＳ１４１において、制御部５４は、記録部５３に記録されているメタ情報および更新情報に基づいて、例えば図１１のメニュー画面を表示装置１４に表示させる。
【０１８４】
メニュー画面が表示され、ユーザが、さらに入力部５２に対する操作を行って図１２の更新情報の一覧を表示させ、ボタン１６４を操作すると、制御部５４は、ユーザの操作に応じて、光ディスク４１の挿入を促すメッセージを表示装置１４に表示させる。
【０１８５】
そして、そのメッセージに応じて、ユーザが記録再生装置１１に光ディスク４１を挿入すると、ステップＳ１４２において、記録制御部６２は、記録部５３に記録されているパッケージ情報に基づいて、光ディスク４１に追加コンテンツを記録させる。
【０１８６】
すなわち、記録制御部６２は、指定された追加コンテンツを記録部５３から取得してドライブ５１に供給する。そして、記録制御部６２は、記録部５３に記録されているパッケージ情報における、記録しようとする追加コンテンツに対応する項目「file」内の項目「dest」において指定されている追加コンテンツの記録先のパスを読み出す。
【０１８７】
このパスは、例えば図９のＫ３３の部分の２つのタグ「dest」のうち、光ディスク４１上のパスを指定する文字「disc」が含まれている方のタグにおいて指定されるパス「BDMV/PLAYLIST/0030.mpls」とされる。
【０１８８】
記録制御部６２は、追加コンテンツの記録先を示すパスを読み出すと、ドライブ５１を制御して、読み出したパスにより示される光ディスク４１の位置に、供給した追加コンテンツを記録させる。ドライブ５１は、記録制御部６２の指示にしたがって、記録制御部６２から供給された追加コンテンツを光ディスク４１に記録する。
【０１８９】
光ディスク４１には、追加コンテンツを再生するために必要となる、他のコンテンツと共通で用いられる証明書、Token、およびAACSデータが予め記録されているので、ユーザは、光ディスク４１を記録再生装置１１に挿入して、光ディスク４１に記録された追加コンテンツを視聴できるようになる。
【０１９０】
ステップＳ１４３において、取得部６３は、光ディスク４１に記録された追加コンテンツのステータス情報を「ダウンロード済」から「ディスク記録済」に更新する。
【０１９１】
ステップＳ１４４において、記録制御部６２は、光ディスク４１に記録された追加コンテンツを記録部５３から削除して、追加コンテンツ記録処理は終了する。すなわち、記録部５３は、記録制御部６２の指示にしたがって記録している追加コンテンツを削除する。
【０１９２】
このようにして、記録再生装置１１は、ダウンロードされて記録部５３に記録されている追加コンテンツを光ディスク４１に記録する。
【０１９３】
このように、記録部５３に記録されている追加コンテンツを光ディスク４１に記録して、記録された追加コンテンツを記録部５３から削除することで、記録部５３の記録領域が不足することを防止することができる。また、ユーザは、光ディスク４１単体で、記録された追加コンテンツと、予め記録されている記録済みコンテンツとを視聴することができる。
【０１９４】
以上のように、記録再生装置１１によれば、ユーザにより予め購入された追加コンテンツをダウンロードして、光ディスク４１に記録することができる。予め購入された追加コンテンツの追記可能な光ディスク４１の利用の形態として、例えば図１６乃至図１８に示す形態が考えられる。
【０１９５】
なお、図１６乃至図１８に示す利用の形態においては、ユーザが、第１話乃至第３話からなる連作のドラマのコンテンツのうち、第１話（の動画像データ）が予め記録されており、第２話および第３話（の動画像データ）が追記可能な光ディスク４１を購入したものとする。すなわち、第１話が記録済みコンテンツとされ、第２話および第３話が追加コンテンツとされる。
【０１９６】
図１６に示す利用の形態では、ユーザは、第１話の記録されている光ディスク４１を購入する。そして、第２話がリリースされてサービスサーバ１３にアップロードされると、記録再生装置１１は、第２話をサービスサーバ１３から取得する。この時点では、第１話が光ディスク４１に記録されており、第２話が記録再生装置１１に記録されている。
【０１９７】
さらに、記録再生装置１１が、ユーザの指示に従って第２話を光ディスク４１に記録すると、光ディスク４１には、第１話および第２話が記録され、かつ記録再生装置１１には何も記録されていない状態となる。
【０１９８】
その後、第３話がリリースされてサービスサーバ１３にアップロードされると、記録再生装置１１は、サービスサーバ１３から第３話を取得する。すると、第１話および第２話が光ディスク４１に記録されており、第３話が記録再生装置１１に記録されている状態となる。また、ユーザの指示にしたがって、記録再生装置１１が第３話を光ディスク４１に記録すると、光ディスク４１には、第１話乃至第３話が記録され、記録再生装置１１には何も記録されていない状態となる。その結果、最終的に光ディスク４１は、予め第１話乃至第３話のコンテンツが記録されて販売されている光ディスクと同じ状態となる。
【０１９９】
また、図１７に示す利用の形態では、ユーザは、第１話の記録されている光ディスク４１を購入する。そして、第２話がリリースされてサービスサーバ１３にアップロードされると、記録再生装置１１は、第２話をサービスサーバ１３から取得する。この時点では、第１話が光ディスク４１に記録されており、第２話が記録再生装置１１に記録されている。
【０２００】
その後、第３話がリリースされてサービスサーバ１３にアップロードされると、記録再生装置１１は、サービスサーバ１３から第３話を取得する。すると、第１話が光ディスク４１に記録されており、第２話および第３話が記録再生装置１１に記録されている状態となる。
【０２０１】
そして、記録再生装置１１が、ユーザの指示に従って第２話および第３話を光ディスク４１に記録すると、光ディスク４１には、第１話乃至第３話が記録され、かつ記録再生装置１１には何も記録されていない状態となる。その結果、最終的に光ディスク４１は、予め第１話乃至第３話のコンテンツが記録されて販売されている光ディスクと同じ状態となる。
【０２０２】
さらに、図１８に示す利用の形態では、ユーザは、第１話の記録されている光ディスク４１を購入する。そして、第２話がリリースされてサービスサーバ１３にアップロードされ、さらに第３話がリリースされてサービスサーバ１３にアップロードされると、サービスサーバ１３に、第２話および第３話が記録された状態となる。
【０２０３】
そして、記録再生装置１１が、第２話および第３話をサービスサーバ１３から取得すると、第１話が光ディスク４１に記録されており、第２話および第３話が記録再生装置１１に記録されている状態となる。
【０２０４】
その後、記録再生装置１１が、ユーザの指示に従って第２話および第３話を光ディスク４１に記録すると、光ディスク４１には、第１話乃至第３話が記録され、かつ記録再生装置１１には何も記録されていない状態となる。その結果、最終的に光ディスク４１は、予め第１話乃至第３話のコンテンツが記録されて販売されている光ディスクと同じ状態となる。
【０２０５】
このように、ユーザが、互いに関連するコンテンツのうちのいくつかが予め記録されている光ディスク４１を購入し、残りのコンテンツをサービスサーバ１３からダウンロードして、光ディスク４１に記録させることで、ユーザは、一度の決済で複数のコンテンツを楽しむことができる。また、コンテンツの提供者も、まだリリースされていないコンテンツについての投資資金を先行して回収することができるなど、投資資金の早期回収を見込むことができる。
【０２０６】
また、例えばユーザが、連作のドラマの第１話から第５話のコンテンツを購入し、第１話乃至第５話のうちの追加コンテンツを光ディスク４１に記録する場合において、さらに、第６話から第１０話のコンテンツのパックが新たに発売されたときに、ユーザが第６話乃至第１０話のコンテンツをサービスサーバ１３からダウンロードできるようにしてもよい。
【０２０７】
そのような場合において、記録再生装置１１およびサービスサーバ１３により行われるコンテンツ購入処理およびコンテンツ販売処理について、図１９のフローチャートを参照して説明する。
【０２０８】
記録再生装置１１に光ディスク４１が挿入されていない状態において、ユーザが入力部５２を操作し、メニュー画面の表示を指示すると、入力部５２から制御部５４にユーザの操作に応じた操作信号が供給される。
【０２０９】
制御部５４に操作信号が供給されると、ステップＳ１７１において、制御部５４は、記録部５３に記録されているメタ情報および更新情報に基づいて、例えば図１１のメニュー画面を表示装置１４に表示させる。
【０２１０】
メニュー画面が表示され、ユーザが、さらに入力部５２に対する操作を行って図１２の更新情報の一覧を表示させたとする。図１２の更新情報の一覧には、表示欄１６１−１に、ユーザが既に購入したコンテンツに関連する他のコンテンツが新たに発売された旨の更新情報が表示されている。ユーザは、ボタン１６２を操作して、表示欄１６１−１に示されるタイトルが「２８シーズンII」であるコンテンツの購入ページにアクセスさせることで、光ディスク４１のコンテンツに関連するコンテンツ「２８シーズンII」を購入することができる。
【０２１１】
ユーザがボタン１６２を操作すると、入力部５２から制御部５４にはユーザの操作に応じた操作信号が供給される。
【０２１２】
ステップＳ１７２において、記録再生装置１１は、関連するコンテンツの購入ページにアクセスする。すなわち、制御部５４は、記録部５３に記録されている更新情報のうち、表示欄１６１−１に表示されている更新情報内の項目「link」に格納されているURLを読み出す。例えば、図７のＫ１４の部分のエントリのタグ「link」内のURLが読み出される。
【０２１３】
すると、制御部５４は、通信部５５に、読み出したURLをサービスサーバ１３に送信させ、そのURLにより示される位置に記録されている購入ページ（ウェブページ）を表示させるためのデータの送信をサービスサーバ１３に要求する。
【０２１４】
記録再生装置１１から購入ページのURLが送信されてくると、ステップＳ２０１において、サービスサーバ１３は、送信されてきたURLを受信する。そして、サービスサーバ１３は、受信したURLにより示される位置に記録されている購入ページのデータを、通信網１５を介して記録再生装置１１に送信する。
【０２１５】
通信部５５は、サービスサーバ１３から送信されてきた購入ページのデータを受信して、制御部５４に供給する。そして、ステップＳ１７３において、制御部５４は、通信部５５から供給されたデータを表示装置１４に供給し、表示装置１４に購入ページを表示させる。
【０２１６】
表示装置１４に購入ページが表示されると、ユーザは、予めサービスサーバ１３に登録されている、ユーザを識別するためのユーザＩＤを入力するとともに、購入しようとするコンテンツを指定してコンテンツの購入を指示する。すると、入力されたユーザＩＤおよび指定されたコンテンツを示す操作信号が入力部５２から制御部５４に供給される。
【０２１７】
ステップＳ１７４において、制御部５４は、サービスサーバ１３に対してコンテンツ購入の決済を要求する。すなわち、制御部５４は、入力部５２から供給されたコンテンツを示す情報に基づいて、購入ページを表示するための画像データから、指定されたコンテンツを特定する商品ＩＤを取得する。そして、制御部５４は、ユーザＩＤおよび商品ＩＤを含み、決済を要求する旨の購入要求信号を通信部５５に供給し、通信部５５は、制御部５４からの購入要求信号をサービスサーバ１３に送信する。
【０２１８】
すると、ステップＳ２０２において、サービスサーバ１３は、記録再生装置１１から送信されてきた購入要求信号を受信して決済を行う。すなわち、サービスサーバ１３は、受信した購入要求信号に含まれるユーザＩＤに基づいて、商品の購入を求めてきたユーザが、予め登録されている正規のユーザであることを確認し、購入要求信号に含まれる商品ＩＤにより特定されるコンテンツについて、決済を行う。このとき、サービスサーバ１３は、ユーザＩＤや商品ＩＤ等の必要な情報を記録する。
【０２１９】
そして、サービスサーバ１３は、要求された、商品ＩＤにより特定されるコンテンツの購入の決済が完了すると、決済が完了した旨の通知を記録再生装置１１に送信する。すると、記録再生装置１１の通信部５５は、サービスサーバ１３から送信されてきた通知を受信して制御部５４に供給し、制御部５４は、通信部５５から供給された通知を表示装置１４に供給して表示させる。これにより、表示装置１４には、コンテンツの購入の決済が完了した旨の通知が表示される。
【０２２０】
そして、ユーザが、入力部５２に対する操作を行い、購入したコンテンツのダウンロードを指示すると、入力部５２から制御部５４には、コンテンツのダウンロードを指示する操作信号が供給される。
【０２２１】
ステップＳ１７５において、制御部５４の取得部６３は、入力部５２からの操作信号に応じて、サービスサーバ１３にコンテンツの送信を要求する。すなわち、取得部６３は、コンテンツの購入時に入力されたユーザＩＤと、特定された商品ＩＤとが含まれる、コンテンツの送信を要求する送信要求信号を通信部５５に供給する。そして、通信部５５は、制御部５４からの送信要求信号をサービスサーバ１３に送信する。
【０２２２】
ここで、ユーザが購入したコンテンツは、例えば連作ドラマの第６話から第１０話の動画像データとされ、現時点においては、第６話だけがリリースされて視聴可能な状態となっており、残りの第７話から第１０話までは、視聴可能な状態となっていないものとする。
【０２２３】
記録再生装置１１からサービスサーバ１３に送信要求信号が送信されると、ステップＳ２０３において、サービスサーバ１３は、送信されてきた送信要求信号を受信し、要求されたコンテンツを記録再生装置１１に送信する。すなわち、サービスサーバ１３は、受信した送信要求信号に含まれるユーザＩＤおよび商品ＩＤから、記録再生装置１１に送信すべきコンテンツを特定する。
【０２２４】
例えば、サービスサーバ１３は、ユーザＩＤにより特定されるユーザごとに、そのユーザが購入したコンテンツを示す情報と、ユーザに対して提供済みのコンテンツを示す情報、つまり記録再生装置１１に送信したコンテンツを示す情報とを記録しており、それらの情報と、ユーザＩＤおよび商品ＩＤとから、送信すべきコンテンツを特定する。例えば、ユーザにより、連作ドラマの第６話から第１０話のコンテンツが購入された場合には、第６話のコンテンツが、送信すべきコンテンツとして特定される。
【０２２５】
送信すべきコンテンツが特定されると、サービスサーバ１３は、特定されたコンテンツを記録再生装置１１に送信する。なお、より詳細には、サービスサーバ１３はコンテンツとともに、ユーザにより購入された全てのコンテンツに共通の証明書およびAACSデータも記録再生装置１１に送信する。したがって、例えば、記録再生装置１１には、第６話のコンテンツ、第６話乃至第１０話に共通の証明書、および第６話から第１０話まで共通で用いられるAACSデータが送信される。
【０２２６】
ここで、送信されるコンテンツは、AACSデータに含まれる復号鍵に対応する暗号鍵により暗号化されており、コンテンツには、コンテンツ情報、フィードURL、アクセス頻度情報、およびアクセス認証情報がメタ情報として付加されている。
【０２２７】
サービスサーバ１３から記録再生装置１１にコンテンツが送信されると、ステップＳ１７６において、記録再生装置１１の通信部５５は、サービスサーバ１３から送信されてきたコンテンツ、より詳細にはコンテンツ、証明書、およびAACSデータを受信する。そして、通信部５５は、受信したコンテンツを制御部５４に供給する。これにより、所定のコンテンツの更新情報に基づいて、そのコンテンツに関連する他のコンテンツが、更新情報により示されるサービスサーバ１３から取得されたことになる。
【０２２８】
制御部５４の取得部６３は、通信部５５から供給されたコンテンツ、証明書、およびAACSデータを記録部５３に供給して記録させる。さらに、制御部５４は、表示装置１４に光ディスクの挿入を促すメッセージを表示させる。そのメッセージを見たユーザは、何も記録されていない光ディスク４１、すなわち第１話乃至第５話の記録されている光ディスク４１とは異なる、いわゆるブランクディスクを記録再生装置１１に挿入する。
【０２２９】
記録再生装置１１に何も記録されていない光ディスク４１が挿入されると、制御部５４はドライブ５１に対して、光ディスク４１からMedia‐IDの読み出しを指示する。このMedia‐IDは、光ディスク４１に固有の識別情報であり、予め光ディスク４１に記録されている。また、制御部５４の記録制御部６２は、ドライブ５１に対して、所定の乱数を生成し、その乱数をランダムデータとして光ディスク４１へ書き込むように指示する。
【０２３０】
ステップＳ１７７において、ドライブ５１は、制御部５４の指示に従って、光ディスク４１からMedia‐IDを読み出して制御部５４に供給するとともに、制御部５４から供給されたランダムデータを光ディスク４１の所定の位置に記録する。
【０２３１】
ステップＳ１７８において、制御部５４の取得部６３は、ユーザが購入したコンテンツの再生に必要となるTokenの取得を要求する。すなわち、取得部６３は、ユーザＩＤ、商品ＩＤ、光ディスク４１から読み出されたMedia‐ID、および生成したランダムデータが含まれる取得要求信号を通信部５５に供給する。そして、通信部５５は、取得部６３からの取得要求信号をサービスサーバ１３に送信する。
【０２３２】
すると、ステップＳ２０４において、サービスサーバ１３は、記録再生装置１１から送信されてきた取得要求信号を受信し、記録再生装置１１の要求に応じてTokenを記録再生装置１１に送信する。
【０２３３】
すなわち、サービスサーバ１３は、受信した取得要求信号に含まれるMedia‐IDおよびランダムデータと、予め記録している所定のデータとを用いて、ユーザにより購入されたコンテンツを再生するときに必要となるTokenを生成する。このとき、ユーザＩＤおよび商品ＩＤにより特定されるコンテンツについてのTokenが生成される。そして、サービスサーバ１３は、生成したTokenを記録再生装置１１に送信し、コンテンツ販売処理は終了する。ここで、生成されたTokenは、例えば、第６話から第１０話までのコンテンツの再生時に共通で用いられる。
【０２３４】
サービスサーバ１３から記録再生装置１１にTokenが送信されると、ステップＳ１７９において、記録再生装置１１の通信部５５は、サービスサーバ１３から送信されてきたTokenを受信する。そして、通信部５５は、受信したTokenを制御部５４に供給し、制御部５４の取得部６３は、通信部５５からのTokenを記録部５３に供給して記録させる。
【０２３５】
すると、記録制御部６２は、受信されて記録されているコンテンツ、証明書、AACSデータ、およびTokenを記録部５３から読み出してドライブ５１に供給し、ドライブ５１にコンテンツ等の光ディスク４１への書き込みを指示する。
【０２３６】
ステップＳ１８０において、ドライブ５１は、記録制御部６２の指示に応じて、記録制御部６２から供給されたコンテンツ、証明書、AACSデータ、およびTokenを、挿入された光ディスク４１に書き込む。
【０２３７】
コンテンツが光ディスク４１に記録されると、ステップＳ１８１において、記録制御部６２は、光ディスク４１に記録されたコンテンツ、証明書、AACSデータ、およびTokenを記録部５３から削除し、コンテンツ購入処理は終了する。
【０２３８】
これにより、光ディスク４１には、ユーザが購入した第６話乃至第１０話のコンテンツのうちの第６話のコンテンツと、第６話乃至第１０話の再生に必要となる証明書、AACSデータ、およびTokenとが記録された状態となる。したがって、第７話乃至第１０話が順次、リリースされると、ユーザは、それらのコンテンツを追加コンテンツとして記録再生装置１１にダウンロードさせて視聴したり、光ディスク４１に書き込んだりすることができるようになる。そのような場合、上述した再生処理、コンテンツ更新処理、追加コンテンツ再生処理、および追加コンテンツ記録処理が適宜、記録再生装置１１により行われる。
【０２３９】
このようにして、記録再生装置１１は、ユーザの指示に応じて、新たなコンテンツの購入の決済をサービスサーバ１３に要求してコンテンツをダウンロードし、光ディスク４１にコンテンツを記録する。
【０２４０】
このように、決済を要求してコンテンツをダウンロードし、光ディスク４１に記録することで、ユーザは、簡単な操作で、購入したコンテンツが記録された光ディスク４１を手にすることができる。しかも、ユーザが視聴したコンテンツの更新情報を確認し、更新情報の一覧に設けられたボタン、例えば図１２のボタン１６２を操作して、ユーザＩＤなどの必要な情報を入力するだけで、ユーザが所有しているコンテンツに関連するコンテンツを簡単に購入することができる。
【０２４１】
なお、以上においては、コンテンツの購入の決済が終了すると、記録済みコンテンツに相当するコンテンツをダウンロードして光ディスク４１に記録すると説明したが、コンテンツの光ディスク４１への記録は、決済後、直ちに行われなくてもよい。すなわち、例えば、決済後、ユーザの指示のあったときに、コンテンツのダウンロードが行われて、コンテンツの光ディスク４１への記録が行われるようにしてもよい。
【０２４２】
また、コンテンツの購入の決済後、ユーザが、コンテンツの記録された光ディスク４１を特定の店舗で受け取るようにしてもよいし、購入の決済は行わずに、ユーザが店舗で直接、光ディスク４１を購入するようにしてもよい。
【０２４３】
さらに、以上においては、記録再生装置１１が更新情報配信サーバ１２から更新情報を取得する場合に、取得した更新情報のうち、新たに得られた更新情報だけを記録すると説明したが、更新情報配信サーバ１２が必要な更新情報だけを記録再生装置１１に送信するようにしてもよい。
【０２４４】
そのような場合、記録再生装置１１および更新情報配信サーバ１２は、例えば、図２０に示す処理を行う。すなわち、図２０は、記録再生装置１１、更新情報配信サーバ１２、およびサービスサーバ１３により行われる、コンテンツ更新処理、更新情報送信処理、およびコンテンツ提供処理を説明するフローチャートである。
【０２４５】
ステップＳ２４１において、記録再生装置１１の取得部６３は、記録部５３に記録されている記録済みコンテンツのメタ情報に含まれるアクセス頻度情報に基づいて、更新情報を取得するか否かを判定する。
【０２４６】
ステップＳ２４１において、更新情報を取得しないと判定された場合、処理はステップＳ２４１に戻り、更新情報を取得すると判定されるまで、判定の処理が繰り返される。
【０２４７】
これに対して、ステップＳ２４１において、更新情報を取得すると判定された場合、ステップＳ２４２において、取得部６３は、更新情報配信サーバ１２に対して更新情報の送信を要求する。
【０２４８】
すなわち、取得部６３は、記録部５３からメタ情報に含まれているフィードURLおよびアクセス認証情報を読み出す。そして、取得部６３は、読み出したフィードURLおよびアクセス認証情報と、これまでに取得した更新情報の一覧とを通信部５５を介して更新情報配信サーバ１２に送信することにより、更新情報の送信を要求する。
【０２４９】
ここで、これまでに取得した更新情報の一覧には、例えば図２１に示すように、最後に取得された更新情報、より詳細には、送信情報の項目「feed」内の項目「id」および項目「updated」に格納されている、ＩＤおよび更新日時と、その送信情報に含まれる各エントリについての項目「entry」内の項目「id」および項目「updated」に格納されている、ＩＤおよび更新日時とが含まれている。
【０２５０】
図２１の例では、更新情報の一覧のＫ６１の部分には、送信情報の項目「feed」内の項目「id」および項目「updated」に格納されている情報が含まれている。つまり、Ｋ６１の部分には、図７のＫ１１の部分のタグ「id」およびタグ「updated」に含まれる情報が含まれている。
【０２５１】
また、図２１のＫ６２の部分、およびＫ６３の部分のそれぞれには、送信情報のエントリに関する情報が含まれている。すなわち、Ｋ６２の部分には、図７のＫ１２におけるタグ「id」およびタグ「updated」に含まれる情報が含まれており、Ｋ６３の部分には、図７のＫ１３におけるタグ「id」およびタグ「updated」に含まれる情報が含まれている。
【０２５２】
このように、更新情報配信サーバ１２に送信される更新情報の一覧には、最後に受信した送信情報を特定するための情報と、受信したエントリ（更新情報）を特定するための情報とが含まれている。そのため、更新情報の一覧を受信した更新情報配信サーバ１２は、更新情報を要求してきた記録再生装置１１には、どの更新情報が記録されているかを知ることができる。
【０２５３】
図２０のフローチャートの説明に戻り、記録再生装置１１から更新情報配信サーバ１２に、フィードURL、アクセス認証情報、および更新情報の一覧が送信されて、更新情報の送信が要求されると、ステップＳ２７１において、更新情報配信サーバ１２は、更新情報を生成する。
【０２５４】
すなわち、更新情報配信サーバ１２は、記録再生装置１１から送信されてきたフィードURL、アクセス認証情報、および更新情報の一覧を受信し、受信したアクセス認証情報を用いて、ユーザが予め登録されている正規のユーザであるか否かの認証を行う。そして認証が行われると、更新情報配信サーバ１２は、受信したフィードURLにより特定される更新情報のうち、受信した更新情報の一覧により示される更新情報を除く全ての更新情報が含まれる送信情報を生成する。これにより、まだ記録再生装置１１が取得していない更新情報のエントリだけが含まれる送信情報が生成される。
【０２５５】
ステップＳ２７２において、更新情報配信サーバ１２は更新情報、より詳細には、生成した送信情報を記録再生装置１１に送信し、更新情報送信処理は終了する。
【０２５６】
ステップＳ２４３において、記録再生装置１１の通信部５５は、更新情報配信サーバ１２から送信されてきた更新情報、すなわち送信情報を受信する。そして、通信部５５は、受信した更新情報を制御部５４の取得部６３に供給する。
【０２５７】
取得部６３は、通信部５５から更新情報（送信情報）が供給されると、供給された更新情報を記録部５３に供給する。
【０２５８】
ステップＳ２４４において、記録部５３は、取得部６３から供給された更新情報を記録する。これにより、記録部５３には、これまでに取得していない更新情報が新たに記録される。その後、ステップＳ２４５の処理乃至ステップＳ２５１の処理が行われるが、それらの処理は、図５のステップＳ４６の処理乃至ステップＳ５２の処理のそれぞれと同様であるので、その説明は省略する。
【０２５９】
また、サービスサーバ１３により、ステップＳ３０１の処理およびステップＳ３０２の処理が行われるが、これらの処理も図５のステップＳ７１の処理およびステップＳ７２の処理と同様であるので、その説明は省略する。
【０２６０】
このようにして、記録再生装置１１は、取得した更新情報の一覧を送信して、更新情報の送信を要求することで、まだ取得していない更新情報だけを新たに取得して記録する。このように、更新情報の一覧を送信することにより、既に取得した更新情報を重複して取得することを防止することができる。
【０２６１】
なお、更新情報の取得時に、更新情報の一覧を送信すると説明したが、更新情報の一覧を送信せずに、更新情報配信サーバ１２において、記録再生装置１１ごとに、どの更新情報が取得されたかが管理されるようにしてもよい。
【０２６２】
そのような場合、例えば、記録再生装置１１および更新情報配信サーバ１２により、図２２のフローチャートに示す再生処理および登録処理が行われ、ユーザ、より詳細には記録再生装置１１の登録が行われる。なお、ステップＳ３４１の処理およびステップＳ３４２の処理は、図４のステップＳ１１の処理およびステップＳ１２の処理と同様であるので、その説明は省略する。
【０２６３】
すなわち、記録再生装置１１に、これまで再生されたことのない光ディスク４１が挿入されると、記録再生装置１１は、挿入された光ディスク４１からメタ情報を読み出して、記録部５３に記録する。
【０２６４】
メタ情報が記録されると、ステップＳ３４３において、制御部５４は、通信部５５を介して更新情報配信サーバ１２に、記録再生装置１１（ユーザ）の登録を要求する。すなわち、制御部５４は、光ディスク４１のコンテンツを特定するための情報と、記録再生装置１１を特定するための情報、具体的には、メタ情報に含まれるOrg‐IDおよびDisc‐IDと、記録再生装置１１の機器ＩＤとを通信部５５に供給する。そして、通信部５５は、制御部５４から供給されたOrg‐ID、Disc‐ID、および機器ＩＤを更新情報配信サーバ１２に送信して、記録再生装置１１の登録を要求する。
【０２６５】
ここで、機器ＩＤは、予め記録再生装置１１に記録されている情報であって、記録再生装置１１を識別するための情報である。また、記録再生装置１１の登録の要求先となる更新情報配信サーバ１２、つまりアクセス先は、メタ情報に含まれているURLとされてもよいし、予め記録部５３や光ディスク４１に記録されているURLとされてもよい。
【０２６６】
記録再生装置１１から更新情報配信サーバ１２にOrg‐ID、Disc‐ID、および機器ＩＤが送信されると、ステップＳ３６１において、更新情報配信サーバ１２は、送信されてきたOrg‐ID、Disc‐ID、および機器ＩＤを受信して、記録再生装置１１の登録を行う。
【０２６７】
すなわち、更新情報配信サーバ１２は、受信したOrg‐ID、Disc‐ID、および機器ＩＤを記録する。また、更新情報配信サーバ１２は、それ以降において、機器ＩＤにより特定される記録再生装置１１に更新情報を送信するごとに、Org‐IDおよびDisc‐IDにより特定されるコンテンツについて、記録再生装置１１に送信した更新情報の一覧を記録しておく。そして、更新情報配信サーバ１２は、更新情報の送信が要求されると、記録している更新情報の一覧を参照して、記録再生装置１１に送信すべき更新情報を生成する。
【０２６８】
このようにして、更新情報配信サーバ１２において、記録再生装置１１の登録が行われると、更新情報配信サーバ１２は、登録が完了した旨の通知を記録再生装置１１に送信して、登録処理は終了する。なお、更新情報配信サーバ１２において、単にOrg‐IDおよびDisc‐IDを並べて得られる情報からコンテンツが特定されるようにしてもよいし、Org‐IDおよびDisc‐IDを用いた演算により、コンテンツごとに固有の値が計算されて、コンテンツが特定されるようにしてもよい。
【０２６９】
また、記録再生装置１１の通信部５５は、更新情報配信サーバ１２から送信されてきた、登録が完了した旨の通知を受信して制御部５４に供給する。制御部５４は、通信部５５から供給された通知を表示装置１４に供給して、表示装置１４に登録が完了した旨の通知を表示させる。
【０２７０】
さらに、制御部５４は、ユーザ登録（記録再生装置１１の機器登録）されている旨の登録フラグ、つまりセットされている登録フラグを、メタ情報と関連付けて記録部５３に記録させる。この登録フラグは、更新情報を取得する処理を行うか否かを示すフラグであり、登録フラグがリセットされている場合は、アクセス頻度情報により、更新情報を取得するタイミングであるとされても、更新情報の取得は行われない。
【０２７１】
記録部５３に登録フラグが記録されると、その後、ステップＳ３４４の処理およびステップＳ３４５の処理が行われて、再生処理は終了するが、これらの処理は、図４のステップＳ１３の処理およびステップＳ１４の処理と同様であるため、その説明は省略する。
【０２７２】
このようにして、記録再生装置１１は、Org‐ID、Disc‐ID、および機器ＩＤを更新情報配信サーバ１２に送信して、記録再生装置１１の登録を要求し、更新情報配信サーバ１２は、記録再生装置１１の要求に応じて、記録再生装置１１の登録を行う。
【０２７３】
このように、記録再生装置１１の登録を予め行っておくことにより、記録再生装置１１は、必要な更新情報だけを簡単に取得することができる。
【０２７４】
更新情報配信サーバ１２において、記録再生装置１１の登録が行われると、光ディスク４１のコンテンツの更新情報を取得するために、図２０のフローチャートを参照して説明したコンテンツ更新処理、更新情報送信処理、およびコンテンツ提供処理と同様の処理が行われる。
【０２７５】
但し、更新情報を取得しようとするコンテンツのメタ情報に関連付けられて記録されている登録フラグがリセットされている場合には、コンテンツ更新処理は行われない。
【０２７６】
また、ステップＳ２４２の処理において、通信部５５は、Org‐ID、Disc‐ID、および機器ＩＤを更新情報配信サーバ１２に送信して、更新情報の送信を要求する。
【０２７７】
さらに、更新情報配信サーバ１２は、送信されてきたOrg‐ID、Disc‐ID、および機器ＩＤを受信すると、機器ＩＤに基づいて登録された記録再生装置１１であるかの認証を行った後、Org‐ID、Disc‐ID、および機器ＩＤと、記録している更新情報の一覧とに基づいて、記録再生装置１１に送信すべき更新情報からなる送信情報を生成する。すなわち、まだ送信されていない更新情報だけが含まれている送信情報が生成されて、記録再生装置１１に送信される。
【０２７８】
このようにして、更新情報配信サーバ１２において記録再生装置１１の登録を行うと、更新情報配信サーバ１２では、各記録再生装置１１に対して、どの更新情報が送信されたかを把握することができる。更新情報には、例えばユーザが所有するコンテンツに関連する新たなコンテンツの発売を知らせる情報なども含まれており、記録再生装置１１は、ユーザの指示を必要とせずに更新情報配信サーバ１２から更新情報を取得して表示するため、ユーザに提示される更新情報の一部は、広告とみなすことができる。そこで、更新情報配信サーバ１２における更新情報の送信の実績に応じて、記録再生装置１１の製造元が、コンテンツの提供者から広告掲載料を得るようにしてもよい。
【０２７９】
また、ユーザが、更新情報配信サーバ１２における記録再生装置１１の登録を解除して、更新情報が取得されなくなるようにしてもよい。そのような場合、例えば、図２３のフローチャートに示す処理が行われる。
【０２８０】
図２３は、記録再生装置１１および更新情報配信サーバ１２により行われる、登録解除要求処理および登録解除処理を説明するフローチャートである。
【０２８１】
記録再生装置１１に光ディスク４１が挿入されていない状態において、ユーザが入力部５２を操作し、メニュー画面の表示を指示すると、入力部５２から制御部５４にユーザの操作に応じた操作信号が供給される。
【０２８２】
制御部５４に操作信号が供給されると、ステップＳ３９１において、制御部５４は、記録部５３に記録されているメタ情報および更新情報に基づいて、例えば図１１のメニュー画面を表示装置１４に表示させる。
【０２８３】
メニュー画面が表示され、ユーザが、さらに入力部５２に対する操作を行って、特定の光ディスク４１のコンテンツに関する記録再生装置１１の登録の解除を指示すると、入力部５２から制御部５４には、ユーザの操作に応じた操作信号が供給される。
【０２８４】
ステップＳ３９２において、制御部５４は、通信部５５を介して、ユーザにより指定されたコンテンツについて、更新情報配信サーバ１２に記録再生装置１１の登録の解除を要求する。すなわち、制御部５４は、記録部５３から、指定されたコンテンツおよび記録再生装置１１を特定するための情報、具体的には、指定されたコンテンツのメタ情報に含まれるOrg‐IDおよびDisc‐IDと、機器ＩＤとを読み出して、通信部５５に供給する。通信部５５は、制御部５４から供給されたOrg‐ID、Disc‐ID、および機器ＩＤを更新情報配信サーバ１２に送信して、記録再生装置１１の登録の解除を要求する。
【０２８５】
すると、ステップＳ４１１において、更新情報配信サーバ１２は、記録再生装置１１から送信されてきたOrg‐ID、Disc‐ID、および機器ＩＤを受信し、記録再生装置１１の要求に応じて、記録再生装置１１の登録の解除を行う。すなわち、受信した機器ＩＤにより特定される記録再生装置１１について、Org‐IDおよびDisc‐IDにより特定されるコンテンツについての更新情報の一覧に関する情報を削除して、記録再生装置１１の登録を解除する。したがって、これ以降は、Org‐IDおよびDisc‐IDにより特定されるコンテンツについて、更新情報の送信が要求されても、更新情報は送信されなくなる。
【０２８６】
更新情報配信サーバ１２は、記録再生装置１１の登録を解除すると、登録の解除が完了した旨の通知を記録再生装置１１に送信し、登録解除処理は終了する。
【０２８７】
また、記録再生装置１１の通信部５５は、更新情報配信サーバ１２から送信されてきた登録の解除が完了した旨の通知を受信して、制御部５４に供給する。制御部５４は、通信部５５から供給された通知を表示装置１４に供給して、表示装置１４に登録の解除が完了した旨の通知を表示させる。
【０２８８】
ステップＳ３９３において、制御部５４は、記録部５３に記録されている登録フラグをリセットして、登録解除要求処理は終了する。登録フラグがリセットされると、その登録フラグに対応するコンテンツの更新情報は取得されなくなる。
【０２８９】
このようにして、記録再生装置１１は、更新情報配信サーバ１２に記録再生装置１１の登録の解除を要求し、登録フラグをリセットする。このように、登録の解除を要求することで、更新情報が無駄に取得されることを防止することができる。
【０２９０】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２９１】
図２４は、上述した一連の処理をプログラムにより実行するコンピュータのハードウェアの構成例を示すブロック図である。
【０２９２】
コンピュータにおいて、CPU（Central Processing Unit）５０１，ROM（Read Only Memory）５０２，RAM（Random Access Memory）５０３は、バス５０４により相互に接続されている。
【０２９３】
バス５０４には、さらに、入出力インターフェース５０５が接続されている。入出力インターフェース５０５には、キーボード、マウス、マイクロホンなどよりなる入力部５０６、ディスプレイ、スピーカなどよりなる出力部５０７、ハードディスクや不揮発性のメモリなどよりなる記録部５０８、ネットワークインターフェースなどよりなる通信部５０９、磁気ディスク、光ディスク、光磁気ディスク、或いは半導体メモリなどのリムーバブルメディア５１１を駆動するドライブ５１０が接続されている。
【０２９４】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０２９５】
コンピュータ（CPU５０１）が実行するプログラムは、例えば、磁気ディスク（フレキシブルディスクを含む）、光ディスク（CD-ROM(Compact Disc-Read Only Memory),DVD等）、光磁気ディスク、もしくは半導体メモリなどよりなるパッケージメディアであるリムーバブルメディア５１１に記録して、あるいは、ローカルエリアネットワーク、インターネット、デジタル衛星放送といった、有線または無線の伝送媒体を介して提供される。
【０２９６】
そして、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０２９７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２９８】
なお、本発明の実施の形態は、上述した実施の形態に限定されるものではなく、本発明の要旨を逸脱しない範囲において種々の変更が可能である。
【図面の簡単な説明】
【０２９９】
【図１】本発明を適用したコンテンツ提供システムの構成例を示す図である。
【図２】記録再生装置の構成例を示す図である。
【図３】ESTにおける光ディスクへの記録と再生について説明する図である。
【図４】再生処理を説明するフローチャートである。
【図５】コンテンツ更新処理、更新情報送信処理、およびコンテンツ提供処理について説明するフローチャートである。
【図６】更新情報に含まれる情報について説明する図である。
【図７】更新情報の一例を示す図である。
【図８】パッケージ情報に含まれる情報について説明する図である。
【図９】パッケージ情報の一例を示す図である。
【図１０】追加コンテンツ再生処理について説明するフローチャートである。
【図１１】メニュー画面の表示例を示す図である。
【図１２】更新情報の一覧の表示例を示す図である。
【図１３】BUMFについて説明する図である。
【図１４】BUMFについて説明する図である。
【図１５】追加コンテンツ記録処理について説明するフローチャートである。
【図１６】光ディスクの利用の形態の例を示す図である。
【図１７】光ディスクの利用の形態の例を示す図である。
【図１８】光ディスクの利用の形態の例を示す図である。
【図１９】コンテンツ購入処理およびコンテンツ販売処理について説明するフローチャートである。
【図２０】コンテンツ更新処理、更新情報送信処理、およびコンテンツ提供処理を説明するフローチャートである。
【図２１】更新情報の一覧の例を示す図である。
【図２２】再生処理および登録処理を説明するフローチャートである。
【図２３】登録解除要求処理および登録解除処理について説明するフローチャートである。
【図２４】コンピュータの構成例を示す図である。
【符号の説明】
【０３００】
１１  記録再生装置，  １２  更新情報配信サーバ，  １３  サービスサーバ，  ４１  光ディスク，  ５１  ドライブ，  ５３  記録部，  ５４  制御部，  ５５  通信部，  ６１  再生制御部，  ６２  記録制御部，  ６３  取得部
【図１】
0004492729.tif 000002
【図２】
0004492729.tif 000003
【図３】
0004492729.tif 000004
【図４】
0004492729.tif 000005
【図５】
0004492729.tif 000006
【図６】
0004492729.tif 000007
【図７】
0004492729.tif 000008
【図８】
0004492729.tif 000009
【図９】
0004492729.tif 000010
【図１０】
0004492729.tif 000011
【図１１】
0004492729.tif 000012
【図１２】
0004492729.tif 000013
【図１３】
0004492729.tif 000014
【図１４】
0004492729.tif 000015
【図１５】
0004492729.tif 000016
【図１６】
0004492729.tif 000017
【図１７】
0004492729.tif 000018
【図１８】
0004492729.tif 000019
【図１９】
0004492729.tif 000020
【図２０】
0004492729.tif 000021
【図２１】
0004492729.tif 000022
【図２２】
0004492729.tif 000023
【図２３】
0004492729.tif 000024
【図２４】
0004492729.tif 000025